(57)【要約】【課題】  迅速に修理に対応することができる修理依頼システム１、携帯電話リモコン２０、修理センター３０、空調機１０及び修理依頼方法を提供する。【解決手段】  修理依頼システム１は、空調機１０の修理を依頼するための修理依頼システム１であって、携帯電話リモコン２０と、修理センター３０とを備える。携帯電話リモコン２０は、空調機１０を無線回線７０経由で遠隔操作し、空調機１０の運転データを無線回線７０経由で受信する。修理センター３０は、携帯電話リモコン２０から、携帯電話リモコン２０の使用者の個人情報と空調機１０の運転データとを電話回線６０経由で受信して、空調機１０の故障に関する連絡を受ける。【選択図】      図１
2005184064.tif 000002
【特許請求の範囲】
【請求項１】
機器（１０）の修理を依頼するための修理依頼システム（１，３００）であって、
前記機器（１０）を第１通信回線（７０）経由で遠隔操作し、前記機器（１０）の運転データを前記第１通信回線（７０）経由で受信する遠隔操作装置（２０，２２０）と、
前記遠隔操作装置（２０，２２０）から、前記遠隔操作装置（２０，２２０）の使用者の個人情報と前記機器（１０）の前記運転データとを第２通信回線（６０，２６０）経由で受信して、前記遠隔操作装置（２０，２２０）の前記使用者の連絡先を特定する回線管理装置（９０）と、
前記回線管理装置（９０）から、少なくとも前記機器（１０）の前記運転データを、前記第２通信回線（６０，２６０）経由で受信して、前記機器（１０）の故障に関する連絡を受ける修理管理装置（３０）と、
を備えた修理依頼システム（１，３００）。
【請求項２】
前記回線管理装置（９０）は、前記遠隔操作装置（２０，２２０）の前記使用者の前記個人情報に基づいて、前記使用者の連絡先を特定する、
請求項１に記載の修理依頼システム（１，３００）。
【請求項３】
前記遠隔操作装置（２０，２２０）は、
前記機器（１０）の故障を報知する報知部（２１）と、
前記機器（１０）の故障の連絡に関して要否が入力される入力部（２２）と、
を有している、
請求項１又は２に記載の修理依頼システム（１，３００）。
【請求項４】
前記運転データは、前記機器（１０）の種類を特定する情報と前記機器（１０）の故障の種類を特定する情報とを含む、
請求項１から３のいずれかに記載の修理依頼システム（１，３００）。
【請求項５】
前記運転データは、前記機器（１０）の故障直前における運転状態の履歴を含む、
請求項１から４のいずれかに記載の修理依頼システム（１，３００）。
【請求項６】
前記第２通信回線（６０，２６０）は、電話回線である、
請求項１から５のいずれかに記載の修理依頼システム（１，３００）。
【請求項７】
前記遠隔操作装置（２０，２２０）は、携帯電話である、
請求項６に記載の修理依頼システム（１，３００）。
【請求項８】
前記第２通信回線（６０，２６０）は、インターネット回線である、
請求項１から７のいずれかに記載の修理依頼システム（１，３００）。
【請求項９】
前記修理管理装置（３０）は、前記機器（１０）の修理に関する情報を特定し、
前記回線管理装置（９０）は、前記第２通信回線（６０，２６０）を経由して、前記修理管理装置（３０）から前記機器（１０）の修理に関する情報を受信し、
前記遠隔操作装置（２０，２２０）は、前記第２通信回線（６０，２６０）を経由して、前記回線管理装置（９０）から前記機器（１０）の修理に関する情報を受信する、
請求項１から８のいずれかに記載の修理依頼システム（１，３００）。
【請求項１０】
前記修理管理装置（３０）は、前記機器（１０）の修理に関する情報を特定し、
前記遠隔操作装置（２０，２２０）は、前記第２通信回線（６０，２６０）を経由して、前記修理管理装置（３０）から前記機器（１０）の修理に関する情報を受信する、
請求項１から８のいずれかに記載の修理依頼システム（１，３００）。
【請求項１１】
前記遠隔操作装置（２０，２２０）の前記報知部（２１）は、前記機器（１０）の修理に関する情報を報知し、
前記遠隔操作装置（２０，２２０）の前記入力部（２２）は、前記機器（１０）の修理の依頼に関して要否が入力される、
請求項９又は１０に記載の修理依頼システム（１，３００）。
【請求項１２】
前記機器（１０）の修理に関する情報は、前記機器（１０）の修理が可能な日を含む、
請求項９から１１のいずれかに記載の修理依頼システム（１，３００）。
【請求項１３】
前記機器（１０）の修理に関する情報は、前記機器（１０）の修理に対する見積もり額を含む、
請求項９から１２のいずれかに記載の修理依頼システム（１，３００）。
【請求項１４】
前記修理管理装置（３０）は、前記機器（１０）の修理において交換する部品を特定する、
請求項９から１３のいずれかに記載の修理依頼システム（１，３００）。
【請求項１５】
機器（１０）の修理を依頼するための修理依頼システム（１００，２００，３００）であって、
前記機器（１０）を第１通信回線（７０）経由で遠隔操作し、前記機器（１０）の運転データを前記第１通信回線（７０）経由で受信する遠隔操作装置（２０，２２０）と、
前記遠隔操作装置（２０，２２０）から、前記遠隔操作装置（２０，２２０）の使用者の個人情報と前記機器（１０）の前記運転データとを第２通信回線（６０，２６０）経由で受信して、前記機器（１０）の故障に関する連絡を受ける修理管理装置（３０）と、
を備えた修理依頼システム（１００，２００，３００）。
【請求項１６】
前記修理管理装置（３０）は、前記遠隔操作装置（２０，２２０）の前記使用者の前記個人情報から前記使用者の連絡先を特定する、
請求項１５に記載の修理依頼システム（１００，２００，３００）。
【請求項１７】
前記遠隔操作装置（２０，２２０）は、
前記機器（１０）の故障を報知する報知部（２１）と、
前記機器（１０）の故障の連絡に関して要否が入力される入力部（２２）と、
を有している、
請求項１５又は１６に記載の修理依頼システム（１００，２００，３００）。
【請求項１８】
前記修理管理装置（３０）に前記第２通信回線（６０，２６０）を介して接続され、前記第２通信回線（６０，２６０）の利用者の連絡先を管理する回線管理装置（９０）をさらに備える、
請求項１５から１７のいずれかに記載の修理依頼システム（１００，２００，３００）。
【請求項１９】
前記運転データは、前記機器（１０）の種類を特定する情報と前記機器（１０）の故障の種類を特定する情報とを含む、
請求項１５から１８のいずれかに記載の修理依頼システム（１００，２００，３００）。
【請求項２０】
前記運転データは、前記機器（１０）の故障直前における運転状態の履歴を含む、
請求項１５から１９のいずれかに記載の修理依頼システム（１００，２００，３００）。
【請求項２１】
前記第２通信回線（６０，２６０）は、電話回線である、
請求項１５から２０のいずれかに記載の修理依頼システム（１００，２００，３００）。
【請求項２２】
前記遠隔操作装置（２０，２２０）は、携帯電話である、
請求項２１に記載の修理依頼システム（１００，２００，３００）。
【請求項２３】
前記第２通信回線（６０，２６０）は、インターネット回線である、
請求項１５から２２のいずれかに記載の修理依頼システム（１００，２００，３００）。
【請求項２４】
前記修理管理装置（３０）は、前記機器（１０）の修理に関する情報を特定し、
前記遠隔操作装置（２０，２２０）は、前記第２通信回線（６０，２６０）を経由して、前記修理管理装置（３０）から前記機器（１０）の修理に関する情報を受信する、
請求項１５から２３のいずれかに記載の修理依頼システム（１００，２００，３００）。
【請求項２５】
前記遠隔操作装置（２０，２２０）の前記報知部（２１）は、前記機器（１０）の修理に関する情報を報知し、
前記遠隔操作装置（２０，２２０）の前記入力部（２２）は、前記機器（１０）の修理の依頼に関して要否が入力される、
請求項２４に記載の修理依頼システム（１００，２００，３００）。
【請求項２６】
前記機器（１０）の修理に関する情報は、前記機器（１０）の修理が可能な日を含む、
請求項２４又は２５のいずれかに記載の修理依頼システム（１００，２００，３００）。
【請求項２７】
前記機器（１０）の修理に関する情報は、前記機器（１０）の修理に対する見積もり額を含む、
請求項２４から２６のいずれかに記載の修理依頼システム（１００，２００，３００）。
【請求項２８】
前記修理管理装置（３０）は、前記機器（１０）の修理において交換する部品を特定する、
請求項２４から２７のいずれかに記載の修理依頼システム（１００，２００，３００）。
【請求項２９】
機器（１０）を遠隔操作する命令を第１通信回線（７０）経由で送信し、前記機器（１０）の運転データを前記第１通信回線（７０）経由で受信する機器送受信部（２３）と、
前記機器（１０）の故障に関する連絡を受ける修理管理装置（３０）に、少なくとも前記機器（１０）の前記運転データが前記第２通信回線（６０，２６０）経由で受信されるようにするために、使用者の連絡先を特定する回線管理装置（９０）へ、前記遠隔操作装置（２０，２２０）の使用者の個人情報と前記機器（１０）の前記運転データとを、前記第２通信回線（６０，２６０）経由で送信する装置送受信部（２４）と、
を備えた遠隔操作装置（２０，２２０）。
【請求項３０】
機器（１０）を遠隔操作する命令を第１通信回線（７０）経由で送信し、前記機器（１０）の運転データを前記第１通信回線（７０）経由で受信する機器送受信部（２３）と、
前記機器（１０）の故障に関する連絡を受ける修理管理装置（３０）へ、使用者の個人情報と前記機器（１０）の前記運転データとを、前記第２通信回線（６０，２６０）経由で送信する装置送受信部（２４）と、
を備えた遠隔操作装置（２０，２２０）。
【請求項３１】
機器（１０）を第１通信回線（７０）経由で遠隔操作し前記機器（１０）の運転データを前記第１通信回線（７０）経由で受信する遠隔操作装置（２０，２２０）から、前記遠隔操作装置（２０，２２０）の使用者の個人情報と前記機器（１０）の前記運転データとを第２通信回線（６０，２６０）経由で受信して、前記遠隔操作装置（２０，２２０）の前記使用者の連絡先を特定する回線管理装置（９０）から、少なくとも前記機器（１０）の前記運転データを前記第２通信回線（６０，２６０）経由で受信する受信部（３１）と、
少なくとも前記機器（１０）の前記運転データに基づき、前記機器（１０）の修理に関する情報を特定する特定部（３２）と、
を備えた修理管理装置（３０）。
【請求項３２】
機器（１０）を第１通信回線（７０）経由で遠隔操作し前記機器（１０）の運転データを前記第１通信回線（７０）経由で受信する遠隔操作装置（２０，２２０）から、前記遠隔操作装置（２０，２２０）の使用者の個人情報と前記機器（１０）の前記運転データとを第２通信回線（６０，２６０）経由で受信する受信部（３１）と、
前記遠隔操作装置（２０，２２０）の前記使用者の前記個人情報と前記機器（１０）の前記運転データとに基づき、前記機器（１０）の修理に関する情報を特定する特定部（１３２）と、
を備えた修理管理装置（３０）。
【請求項３３】
遠隔操作する遠隔操作装置（２０，２２０）から運転に関する命令を第１通信回線（７０）経由で受信する受信部（１１）と、
前記遠隔操作装置（２０，２２０）の前記使用者の連絡先を特定する回線管理装置（９０）へ、前記機器（１０）の運転データを前記第１通信回線（７０）経由で送信する送信部（１２）とを備え、
前記機器（１０）の故障に関する連絡を受ける修理管理装置（３０）に、少なくとも前記機器（１０）の前記運転データが前記第２通信回線（６０，２６０）経由で受信されるようにするために、前記機器（１０）の前記運転データは、前記遠隔操作装置（２０，２２０）から前記回線管理装置（９０）へ第２通信回線（６０，２６０）経由で送信される、
機器（１０）。
【請求項３４】
遠隔操作する遠隔操作装置（２０，２２０）から運転に関する命令を第１通信回線（７０）経由で受信する受信部（１１）と、
前記機器（１０）の運転データを前記遠隔操作装置（２０，２２０）へ前記第１通信回線（７０）経由で送信する送信部（１２）とを備え、
前記機器（１０）の前記運転データは、前記遠隔操作装置（２０，２２０）から、前記遠隔操作装置（２０，２２０）の使用者の個人情報とともに、前記機器（１０）の故障に関する連絡を受ける修理管理装置（３０）へ第２通信回線（６０，２６０）経由で送信される、
機器（１０）。
【請求項３５】
機器（１０）の修理を依頼するための修理依頼方法であって、
前記機器（１０）を第１通信回線（７０）経由で遠隔操作する遠隔操作装置（２０，２２０）に、前記機器（１０）の運転データが前記第１通信回線（７０）経由で受信される第１ステップと、
前記遠隔操作装置（２０，２２０）から、前記遠隔操作装置（２０，２２０）の使用者の個人情報と前記機器（１０）の前記運転データとが第２通信回線（６０，２６０）経由で受信されて、前記遠隔操作装置（２０，２２０）の前記使用者の連絡先が特定される第２ステップと、
少なくとも前記第１ステップで受信された前記運転データが、第２通信回線（６０，２６０）経由で受信され、前記機器（１０）の故障に関する連絡が受け付けられる第３ステップと、
を備えた修理依頼方法。
【請求項３６】
機器（１０）の修理を依頼するための修理依頼方法であって、
前記機器（１０）を第１通信回線（７０）経由で遠隔操作する遠隔操作装置（２０，２２０）に、前記機器（１０）の運転データが前記第１通信回線（７０）経由で受信される第１ステップと、
前記遠隔操作装置（２０，２２０）の使用者の個人情報と前記第１ステップで受信された前記機器（１０）の前記運転データとが第２通信回線（６０，２６０）経由で受信され、前記機器（１０）の故障に関する連絡が受け付けられる第２ステップと、
を備えた修理依頼方法。
【請求項３７】
機器（１０）を第１通信回線（７０）経由で遠隔操作する遠隔操作装置（２０，２２０）に前記機器（１０）の修理を依頼させるための修理依頼プログラムであって、
前記遠隔操作装置（２０，２２０）に、前記機器（１０）の運転データが前記第１通信回線（７０）経由で受信される第１ステップと、
前記遠隔操作装置（２０，２２０）から、前記遠隔操作装置（２０，２２０）の使用者の個人情報と前記機器（１０）の前記運転データとが第２通信回線（６０，２６０）経由で受信されて、前記遠隔操作装置（２０，２２０）の前記使用者の連絡先が特定される第２ステップと、
少なくとも前記第１ステップで受信された前記運転データが、第２通信回線（６０，２６０）経由で受信され、前記機器（１０）の故障に関する連絡が受け付けられる第３ステップと、
を備えた修理依頼プログラム。
【請求項３８】
機器（１０）を第１通信回線（７０）経由で遠隔操作する遠隔操作装置（２０，２２０）に前記機器（１０）の修理を依頼させるための修理依頼プログラムであって、
前記遠隔操作装置（２０，２２０）に、前記機器（１０）の運転データが前記第１通信回線（７０）経由で受信される第１ステップと、
前記遠隔操作装置（２０，２２０）の使用者の個人情報と前記第１ステップで受信された前記機器（１０）の前記運転データとが第２通信回線（６０，２６０）経由で受信され、前記機器（１０）の故障に関する連絡が受け付けられる第２ステップと、
を備えた修理依頼プログラム。
【発明の詳細な説明】
【技術分野】
【０００１】
本発明は、修理依頼システム、遠隔操作装置、修理管理装置、機器、修理依頼方法及び修理依頼プログラムに関する。
【背景技術】
【０００２】
従来から、機器の故障が発生した場合、機器の修理に関する依頼を受ける修理管理装置に機器の故障の報知と故障履歴とがネットワーク経由でリモコンにより送信されるサービスが行われている（例えば、特許文献１参照）。
【特許文献１】特開２００３−１９８７４６  （第１，２，７−１０頁、第４，５図）
【発明の開示】
【発明が解決しようとする課題】
【０００３】
しかし、従来の技術は、修理管理装置からネットワーク経由でメンテナンス可能な機器の故障には迅速に対応できるが、現地にサービスマンを派遣する必要がある機器の故障の修理には迅速に対応できないことがある。すなわち、現地にサービスマンを派遣する必要がある機器の故障の場合、修理管理装置は修理の訪問先を特定できないため、修理管理装置が電話を受けなければ修理へ対応できないことが多い。そのため、機器の故障が発生してから現地にサービスマンを派遣するまで時間がかかる傾向がある。
【０００４】
そこで、本発明の課題は、迅速に修理に対応することができる修理依頼システム、遠隔操作装置、修理管理装置、機器、修理依頼方法及び修理依頼プログラムを提供することにある。
【課題を解決するための手段】
【０００５】
請求項１に係る修理依頼システムは、機器の修理を依頼するための修理依頼システムであって、遠隔操作装置と、回線管理装置と、修理管理装置とを備える。遠隔操作装置は、機器を第１通信回線経由で遠隔操作し、機器の運転データを第１通信回線経由で受信する。回線管理装置は、遠隔操作装置から、遠隔操作装置の使用者の個人情報と機器の運転データとを第２通信回線経由で受信して、遠隔操作装置の使用者の連絡先を特定する。修理管理装置は、回線管理装置から、少なくとも機器の運転データを、第２通信回線経由で受信して、機器の故障に関する連絡を受ける。
【０００６】
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。
【０００７】
したがって、回線管理装置で個人情報に対応する連絡先が特定され、修理管理装置で機器の運転データが受信されるので、修理の訪問先及び修理内容を迅速に特定することができる。その結果、迅速に修理に対応することができる。
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。修理管理装置は、回線管理装置から、機器の運転データだけでなく、遠隔操作装置の使用者の個人情報や連絡先などを、第２通信回線経由で受信してもよい。機器の故障に関する連絡は、運転データの整理番号のようなもので互いに区別されてもよいし、故障の整理番号のようなもので互いに区別されてもよいし、故障の整理番号のようなものを含まずに遠隔操作装置の使用者の個人情報や連絡先などで互いに区別されてもよい。
【０００８】
請求項２に係る修理依頼システムは、請求項１に記載の修理依頼システムであって、回線管理装置は、遠隔操作装置の使用者の個人情報に基づいて、使用者の連絡先を特定する。
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定する。修理管理装置が、回線管理装置から、少なくとも機器の運転データを、第２通信回線経由で受信する。修理管理装置が、機器の故障に関する連絡を受ける。
【０００９】
したがって、回線管理装置で個人情報に対応する連絡先が特定され、修理管理装置で連絡先が受信されることにより、修理の訪問先及び修理内容を迅速に特定することができる。その結果、迅速に修理に対応することができる。
請求項３に係る修理依頼システムは、請求項１又は２に記載の修理依頼システムであって、遠隔操作装置は、報知部と、入力部とを有している。報知部は、機器の故障を報知する。入力部は、機器の故障の連絡に関して要否が入力される。
【００１０】
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。遠隔操作装置の報知部が、機器の故障を報知する。遠隔操作装置の入力部では、機器の故障の連絡に関して要否が入力される。回線管理装置が、遠隔操作装置に第２通信回線を介して接続されており、機器の故障の連絡を必要とする旨が入力部に入力された場合、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。
【００１１】
したがって、遠隔操作装置が、機器の故障の連絡に関する要否に応じて、回線管理装置を経由して、修理管理装置へ機器の故障に関して連絡することができる。その結果、遠隔操作装置の使用者の意思に基づいて、修理に対応することができる。
請求項４に係る修理依頼システムは、請求項１から３のいずれかに記載の修理依頼システムであって、運転データは、機器の種類を特定する情報と機器の故障の種類を特定する情報とを含む。
【００１２】
この修理依頼システムでは、運転データが、機器の種類を特定する情報と機器の故障の種類を特定する情報とを含む。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。
【００１３】
したがって、修理管理装置が、機器の種類を特定する情報と機器の故障の種類を特定する情報とに基づいて、機器の故障状態を容易に特定することができる。その結果、機器の修理内容を容易に特定することができる。
請求項５に係る修理依頼システムは、請求項１から４のいずれかに記載の修理依頼システムであって、運転データは、機器の故障直前における運転状態の履歴を含む。
【００１４】
この修理依頼システムでは、運転データが、機器の故障直前における運転状態の履歴を含む。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。
【００１５】
したがって、修理管理装置が、機器の故障直前における運転状態の履歴に基づいて、機器の故障状態を詳細に特定することができる。その結果、機器の修理内容を詳細に特定することができる。
請求項６に係る修理依頼システムは、請求項１から５のいずれかに記載の修理依頼システムであって、第２通信回線は、電話回線である。
【００１６】
この修理依頼システムでは、第２通信回線が、電話回線である。遠隔操作装置が、機器の運転データを第１通信回線経由で機器から受信する。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。
【００１７】
したがって、既存の電話回線を用いて修理依頼システムを構成することができる。このため、修理依頼システムを低コストで構成することができる。
請求項７に係る修理依頼システムは、請求項６に記載の修理依頼システムであって、遠隔操作装置は、携帯電話である。
この修理依頼システムでは、遠隔操作装置が、携帯電話である。遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。
【００１８】
したがって、既存の携帯電話を用いて修理依頼システムを構成することができる。このため、修理依頼システムを低コストで構成することができる。
請求項８に係る修理依頼システムは、請求項１から７のいずれかに記載の修理依頼システムであって、第２通信回線は、インターネット回線である。
この修理依頼システムでは、第２通信回線が、インターネット回線である。遠隔操作装置が、機器の運転データを第１通信回線経由で機器から受信する。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。
【００１９】
したがって、既存のインターネット回線を用いて修理依頼システムを構成することができる。このため、修理依頼システムを低コストで構成することができる。
請求項９に係る修理依頼システムは、請求項１から８のいずれかに記載の修理依頼システムであって、修理管理装置は、機器の修理に関する情報を特定する。回線管理装置は、第２通信回線を経由して、修理管理装置から機器の修理に関する情報を受信する。遠隔操作装置は、第２通信回線を経由して、回線管理装置から機器の修理に関する情報を受信する。
【００２０】
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。修理管理装置が、機器の修理に関する訪問先を特定することができる。修理管理装置が、機器の修理に関する情報を特定する。修理管理装置が、第２通信回線を経由して、回線管理装置へ機器の修理に関する情報を送信することができる。回線管理装置が、第２通信回線を経由して、修理管理装置から機器の修理に関する情報を受信する。回線管理装置が、第２通信回線を経由して、遠隔操作装置へ機器の修理に関する情報を送信することができる。遠隔操作装置が、第２通信回線を経由して、回線管理装置から機器の修理に関する情報を受信する。
【００２１】
したがって、機器のユーザに機器の修理に関する情報を迅速に提供することができる。このため、機器の故障が発生してから早期に、修理の依頼に関して要否をユーザに決定してもらうことができる。
請求項１０に係る修理依頼システムは、請求項１から８のいずれかに記載の修理依頼システムであって、修理管理装置は、機器の修理に関する情報を特定する。遠隔操作装置は、第２通信回線を経由して、修理管理装置から機器の修理に関する情報を受信する。
【００２２】
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。修理管理装置が、機器の修理に関する訪問先を特定することができる。修理管理装置が、機器の修理に関する情報を特定する。修理管理装置が、第２通信回線を経由して、遠隔操作装置へ機器の修理に関する情報を送信することができる。遠隔操作装置が、第２通信回線を経由して、回線管理装置から機器の修理に関する情報を受信する。
【００２３】
したがって、機器のユーザに機器の修理に関する情報を迅速に提供することができる。このため、機器の故障が発生してから早期に、修理の依頼に関して要否をユーザに決定してもらうことができる。
請求項１１に係る修理依頼システムは、請求項９又は１０に記載の修理依頼システムであって、遠隔操作装置の報知部は、機器の修理に関する情報を報知する。遠隔操作装置の入力部は、機器の修理の依頼に関して要否が入力される。
【００２４】
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。修理管理装置が、機器の修理に関する訪問先を特定することができる。修理管理装置が、機器の修理に関する情報を特定する。修理管理装置が、遠隔操作装置を経由して、あるいは遠隔操作装置を経由せずに、機器の修理に関する情報を第２通信回線経由で遠隔操作装置に送信することができる。遠隔操作装置が、第２通信回線を経由して、回線管理装置又は修理管理装置から、機器の修理に関する情報を受信する。遠隔操作装置の報知部が、機器の修理に関する情報を報知する。遠隔操作装置の入力部では、機器の修理の依頼に関して要否が入力される。
【００２５】
したがって、遠隔操作装置が、機器の修理の依頼に関する要否に応じて、修理管理装置へ機器の修理を依頼することができる。その結果、遠隔操作装置の使用者の意思に基づいて、修理へ対応することができる。
請求項１２に係る修理依頼システムは、請求項９から１１のいずれかに記載の修理依頼システムであって、機器の修理に関する情報は、機器の修理が可能な日を含む。
【００２６】
この修理依頼システムでは、回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。修理管理装置が、機器の修理が可能な日を特定する。修理管理装置が、遠隔操作装置を経由して、あるいは遠隔操作装置を経由せずに、機器の修理が可能な日を第２通信回線経由で遠隔操作装置に送信することができる。遠隔操作装置が、機器の修理が可能な日を、回線管理装置又は修理管理装置から、第２通信回線経由で受信する。
【００２７】
したがって、機器の修理が可能な日を迅速にユーザに知らせることができる。その結果、機器の故障が発生してから早期に、機器を修理する日をユーザに決定してもらうことができる。
請求項１３に係る修理依頼システムは、請求項９から１２のいずれかに記載の修理依頼システムであって、機器の修理に関する情報は、機器の修理に対する見積もり額を含む。
【００２８】
この修理依頼システムでは、回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。修理管理装置が、機器の修理に対する見積もり額を特定する。修理管理装置が、遠隔操作装置を経由して、あるいは遠隔操作装置を経由せずに、機器の修理に対する見積もり額を第２通信回線経由で遠隔操作装置に送信することができる。遠隔操作装置が、機器の修理に対する見積もり額を、回線管理装置又は修理管理装置から、第２通信回線経由で受信する。
【００２９】
したがって、機器のユーザに見積もり額を迅速に提供することができる。その結果、機器の故障が発生してから早期に、修理の依頼に関して要否をユーザに決定してもらうことができる。
請求項１４に係る修理依頼システムは、請求項９から１３のいずれかに記載の修理依頼システムであって、修理管理装置は、機器の修理において交換する部品を特定する。
【００３０】
この修理依頼システムでは、回線管理装置が、遠隔操作装置に第２通信回線を介して接続されており、遠隔操作装置の使用者の個人情報と機器の運転データとを遠隔操作装置から第２通信回線経由で受信する。回線管理装置が、遠隔操作装置の使用者の個人情報に基づき、遠隔操作装置の使用者の連絡先を特定することができる。修理管理装置が、回線管理装置から、少なくとも機器の運転データを、第２通信回線経由で受信する。修理管理装置が、機器の故障に関する連絡を受ける。修理管理装置が、機器の修理において交換する部品を特定する。
【００３１】
したがって、修理管理装置において、機器の修理において交換する部品を迅速に発注することができる。その結果、迅速に修理に対応することができる。
請求項１５に係る修理依頼システムは、機器の修理を依頼するための修理依頼システムであって、遠隔操作装置と、修理管理装置とを備える。遠隔操作装置は、機器を第１通信回線経由で遠隔操作し、機器の運転データを第１通信回線経由で受信する。修理管理装置は、遠隔操作装置から、遠隔操作装置の使用者の個人情報と機器の運転データとを第２通信回線経由で受信して、機器の故障に関する連絡を受ける。
【００３２】
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。
【００３３】
したがって、修理管理装置が、遠隔操作装置の使用者の個人情報から遠隔操作装置の使用者の連絡先を特定することができるので、機器の修理に関する訪問先を特定することができる。修理管理装置が、機器の運転データから機器の故障の内容を特定することができるので、機器の修理の内容を特定することができる。その結果、迅速に修理に対応することができる。
【００３４】
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。
請求項１６に係る修理依頼システムは、請求項１５に記載の修理依頼システムであって、修理管理装置は、遠隔操作装置の使用者の個人情報から使用者の連絡先を特定する。
【００３５】
この修理依頼システムでは、修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。修理管理装置が、遠隔操作装置の使用者の個人情報から使用者の連絡先を特定する。
したがって、修理管理装置が、機器の運転データから機器の故障の内容を特定することができるので、機器の修理の内容を特定することができる。その結果、迅速に修理に対応することができる。
【００３６】
請求項１７に係る修理依頼システムは、請求項１５又は１６に記載の修理依頼システムであって、遠隔操作装置は、報知部と、入力部とを有している。報知部は、機器の故障を報知する。入力部では、機器の故障の連絡に関して要否が入力される。
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。遠隔操作装置の報知部が、機器の故障を報知する。遠隔操作装置の入力部では、機器の故障の連絡に関して要否が入力される。修理管理装置が、遠隔操作装置に第２通信回線を介して接続されており、機器の故障の連絡を必要とする旨が入力部に入力された場合、遠隔操作装置の使用者の個人情報と機器の運転データとを遠隔操作装置から第２通信回線経由で受信する。修理管理装置が、機器の故障に関する連絡を受ける。
【００３７】
したがって、遠隔操作装置が、機器の故障の連絡に関する要否に応じて、修理管理装置へ機器の故障に関して連絡することができる。その結果、遠隔操作装置の使用者の意思に基づいて、修理に対応することができる。
請求項１８に係る修理依頼システムは、請求項１５から１７のいずれかに記載の修理依頼システムであって、回線管理装置をさらに備える。回線管理装置は、修理管理装置に第２通信回線を介して接続され、第２通信回線の利用者の連絡先を管理する。
【００３８】
この修理依頼システムでは、修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。回線管理装置が、修理管理装置に第２通信回線を介して接続されており、遠隔操作装置の使用者の個人情報に対応する第２通信回線の利用者の連絡先を問い合わせる要求を、第２通信回線経由で修理管理装置から受信することができる。回線管理装置が、第２通信回線の利用者の連絡先を管理する。回線管理装置が、遠隔操作装置の使用者の個人情報に対応する第２通信回線の利用者の連絡先を、特定することができる。
【００３９】
したがって、修理管理装置が、遠隔操作装置の使用者の個人情報に対応する第２通信回線の利用者の連絡先を、第２通信回線経由で回線管理装置から受信することができる。その結果、遠隔操作装置の使用者の連絡先を特定することができるので、機器の修理に関する訪問先を容易に特定することができる。
なお、第２通信回線の利用者の連絡先は、第２通信回線の利用者の住所を含み、第２通信回線の利用者の氏名を含み、第２通信回線の利用者の存在場所の経度・緯度を含む。
【００４０】
請求項１９に係る修理依頼システムは、請求項１５から１８のいずれかに記載の修理依頼システムであって、運転データは、機器の種類を特定する情報と機器の故障の種類を特定する情報とを含む。
この修理依頼システムでは、運転データが、機器の種類を特定する情報と機器の故障の種類を特定する情報とを含む。修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。
【００４１】
したがって、修理管理装置が、機器の種類を特定する情報と機器の故障の種類を特定する情報とに基づいて、機器の故障状態を容易に特定することができる。その結果、機器の修理内容を容易に特定することができる。
請求項２０に係る修理依頼システムは、請求項１５から１９のいずれかに記載の修理依頼システムであって、運転データは、機器の故障直前における運転状態の履歴を含む。
【００４２】
この修理依頼システムでは、運転データが、機器の故障直前における運転状態の履歴を含む。修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。
したがって、修理管理装置が、機器の故障直前における運転状態の履歴に基づいて、機器の故障状態を詳細に特定することができる。その結果、機器の修理内容を詳細に特定することができる。
【００４３】
請求項２１に係る修理依頼システムは、請求項１５から２０のいずれかに記載の修理依頼システムであって、第２通信回線は、電話回線である。
この修理依頼システムでは、第２通信回線が、電話回線である。遠隔操作装置が、機器の運転データを第１通信回線経由で機器から受信する。修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。
【００４４】
したがって、既存の電話回線を用いて修理依頼システムを構成することができる。このため、修理依頼システムを低コストで構成することができる。
請求項２２にかかる修理依頼システムは、請求項２１に記載の修理依頼システムであって、遠隔操作装置は、携帯電話である。
この修理依頼システムでは、遠隔操作装置が、携帯電話である。遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。修理管理装置が、遠隔操作装置に第２通信回線を介して接続されており、遠隔操作装置の使用者の個人情報と機器の運転データとを遠隔操作装置から第２通信回線経由で受信する。修理管理装置は、機器の故障に関する連絡を受ける。
【００４５】
したがって、既存の携帯電話を用いて修理依頼システムを構成することができる。このため、修理依頼システムを低コストで構成することができる。
請求項２３にかかる修理依頼システムは、請求項１５から２２のいずれかに記載の修理依頼システムであって、第２通信回線は、インターネット回線である。
この修理依頼システムでは、第２通信回線が、インターネット回線である。遠隔操作装置は、機器の運転データを第１通信回線経由で機器から受信する。修理管理装置が、遠隔操作装置に第２通信回線を介して接続されており、遠隔操作装置の使用者の個人情報と機器の運転データとを遠隔操作装置から第２通信回線経由で受信する。修理管理装置は、機器の故障に関する連絡を受ける。
【００４６】
したがって、既存のインターネット回線を用いて修理依頼システムを構成することができる。このため、修理依頼システムを低コストで構成することができる。
請求項２４に係る修理依頼システムは、請求項１５から２３のいずれかに記載の修理依頼システムであって、修理管理装置は、機器の修理に関する情報を特定する。遠隔操作装置は、第２通信回線を経由して、修理管理装置から機器の修理に関する情報を受信する。
【００４７】
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。修理管理装置が、遠隔操作装置の使用者の個人情報から機器の修理に関する訪問先を特定することができる。修理管理装置が、機器の修理に関する情報を特定する。遠隔操作装置が、第２通信回線を経由して、修理管理装置から機器の修理に関する情報を受信する。
【００４８】
したがって、機器のユーザに機器の修理に関する情報を迅速に提供することができる。このため、機器の故障が発生してから早期に、修理の依頼に関して要否をユーザに決定してもらうことができる。
請求項２５に係る修理依頼システムは、請求項２４に記載の修理依頼システムであって、遠隔操作装置の報知部は、機器の修理に関する情報を報知する。遠隔操作装置の入力部は、機器の修理の依頼に関して要否が入力される。
【００４９】
この修理依頼システムでは、遠隔操作装置が、機器を第１通信回線経由で遠隔操作する。遠隔操作装置が、機器の運転データを取得したい旨の要求を第１通信回線経由で機器に送信することができる。遠隔操作装置が、機器の運転データを第１通信回線経由で機器から受信する。修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。修理管理装置が、遠隔操作装置の使用者の個人情報から機器の修理に関する訪問先を特定することができる。修理管理装置が、機器の修理に関する情報を特定する。遠隔操作装置が、第２通信回線を経由して、修理管理装置から機器の修理に関する情報を受信する。遠隔操作装置の報知部は、機器の修理に関する情報を報知する。遠隔操作装置の入力部では、機器の修理の依頼に関して要否が入力される。
【００５０】
したがって、遠隔操作装置が、機器の修理の依頼に関する要否に応じて、修理管理装置へ機器の修理を依頼することができる。その結果、遠隔操作装置の使用者の意思に基づいて、修理へ対応することができる。
請求項２６に係る修理依頼システムは、請求項２４又は２５のいずれかに記載の修理依頼システムであって、機器の修理に関する情報は、機器の修理が可能な日を含む。
【００５１】
この修理依頼システムでは、修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。修理管理装置が、機器の修理が可能な日を特定する。遠隔操作装置が、機器の修理が可能な日を修理管理装置から第２通信回線経由で受信する。
【００５２】
したがって、機器の修理が可能な日を迅速にユーザに知らせることができる。その結果、機器の故障が発生してから早期に、機器を修理する日をユーザに決定してもらうことができる。
請求項２７に係る修理依頼システムは、請求項２４から２６のいずれかに記載の修理依頼システムであって、機器の修理に関する情報は、機器の修理に対する見積もり額を含む。
【００５３】
この修理依頼システムでは、修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。修理管理装置が、機器の修理に対する見積もり額を特定する。遠隔操作装置が、機器の修理に対する見積もり額を修理管理装置から第２通信回線経由で受信する。
【００５４】
したがって、機器のユーザに見積もり額を迅速に提供することができる。その結果、機器の故障が発生してから早期に、修理の依頼に関して要否をユーザに決定してもらうことができる。
請求項２８に係る修理依頼システムは、請求項２４から２７のいずれかに記載の修理依頼システムであって、修理管理装置は、機器の修理において交換する部品を特定する。
【００５５】
この修理依頼システムでは、修理管理装置が、遠隔操作装置に第２通信回線を介して接続されており、遠隔操作装置の使用者の個人情報と機器の運転データとを遠隔操作装置から第２通信回線経由で受信する。修理管理装置が、機器の故障に関する連絡を受ける。修理管理装置が、機器の修理において交換する部品を特定する。
したがって、修理管理装置が、機器の修理において交換する部品を迅速に発注することができる。その結果、迅速に修理に対応することができる。
【００５６】
請求項２９に係る遠隔操作装置は、機器送受信部と、装置送受信部と備える。機器送受信部は、機器を遠隔操作する命令を第１通信回線経由で送信し、機器の運転データを第１通信回線経由で受信する。装置送受信部は、修理管理装置に少なくとも機器の運転データが第２通信回線経由で受信されるようにするために、回線管理装置へ、遠隔操作装置の使用者の個人情報と機器の運転データとを、第２通信回線経由で送信する。修理管理装置は、機器の故障に関する連絡を受ける。回線管理装置は、使用者の連絡先を特定する。
【００５７】
この遠隔操作装置では、機器送受信部が、機器を遠隔操作する命令を第１通信回線経由で送信する。機器送受信部が、機器の運転データを取得したい旨の要求を第１通信回線経由で機器に送信することができる。機器送受信部が、機器の運転データを第１通信回線経由で機器から受信する。装置送受信部が、修理管理装置に少なくとも機器の運転データが第２通信回線経由で受信されるようにするために、回線管理装置へ、少なくとも機器の運転データを第２通信回線経由で送信する。
【００５８】
したがって、修理管理装置は、遠隔操作装置の使用者の個人情報から遠隔操作装置の使用者の連絡先を特定することができるので、機器の修理に関する訪問先を特定することができる。修理管理装置は、機器の運転データから機器の故障の内容を特定することができるので、機器の修理の内容を特定することができる。その結果、迅速に修理に対応することができる。
【００５９】
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。修理管理装置は、回線管理装置から、機器の運転データだけでなく、遠隔操作装置の使用者の個人情報や連絡先などを、第２通信回線経由で受信してもよい。機器の故障に関する連絡は、運転データの整理番号のようなもので互いに区別されてもよいし、故障の整理番号のようなもので互いに区別されてもよいし、故障の整理番号のようなものを含まずに遠隔操作装置の使用者の個人情報や連絡先などで互いに区別されてもよい。
【００６０】
請求項３０に係る遠隔操作装置は、機器送受信部と、装置送受信部とを備える。機器送受信部は、機器を遠隔操作する命令を第１通信回線経由で送信し、機器の運転データを第１通信回線経由で受信する。装置送受信部は、修理管理装置に、使用者の個人情報と機器の運転データとを、第２通信回線経由で送信する。修理管理装置は、機器の故障に関する連絡を受ける。
【００６１】
この遠隔操作装置では、機器送受信部が、機器を遠隔操作する命令を第１通信回線経由で送信する。機器送受信部が、機器の運転データを取得したい旨の要求を第１通信回線経由で機器に送信することができる。機器送受信部が、機器の運転データを第１通信回線経由で機器から受信する。装置送受信部が、修理管理装置に使用者の個人情報と機器の運転データとを第２通信回線経由で送信する。
【００６２】
したがって、修理管理装置は、遠隔操作装置の使用者の個人情報から遠隔操作装置の使用者の連絡先を特定することができるので、機器の修理に関する訪問先を特定することができる。修理管理装置は、機器の運転データから機器の故障の内容を特定することができるので、機器の修理の内容を特定することができる。その結果、迅速に修理に対応することができる。
【００６３】
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。
請求項３１に係る修理管理装置は、受信部と、特定部とを備える。受信部は、回線管理装置から、少なくとも機器の運転データを第２通信回線経由で受信する。遠隔操作装置は、機器を第１通信回線経由で遠隔操作し機器の運転データを第１通信回線経由で受信する。回線管理装置は、遠隔操作装置から、遠隔操作装置の使用者の個人情報と機器の運転データとを第２通信回線経由で受信して、遠隔操作装置の使用者の連絡先を特定する。特定部は、少なくとも機器の運転データに基づき、機器の修理に関する情報を特定する。
【００６４】
この修理管理装置では、受信部が、遠隔操作装置の使用者の個人情報と機器の運転データとを遠隔操作装置から第２通信回線経由で受信して遠隔操作装置の使用者の連絡先を特定する回線管理装置から、少なくとも機器の運転データを第２通信回線経由で受信する。特定部が、少なくとも機器の運転データに基づき、機器の修理に関する情報を特定する。
したがって、回線管理装置が、遠隔操作装置の使用者の連絡先に基づいて、機器の修理に関する訪問先を特定することができる。修理管理装置が、機器の運転データから機器の故障の内容を特定することができるので、機器の修理の内容を特定することができる。その結果、迅速に修理に対応することができる。
【００６５】
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。修理管理装置は、回線管理装置から、機器の運転データだけでなく、遠隔操作装置の使用者の個人情報や連絡先などを、第２通信回線経由で受信してもよい。機器の故障に関する連絡は、運転データの整理番号のようなもので互いに区別されてもよいし、故障の整理番号のようなもので互いに区別されてもよいし、故障の整理番号のようなものを含まずに遠隔操作装置の使用者の個人情報や連絡先などで互いに区別されてもよい。
【００６６】
請求項３２に係る修理管理装置は、受信部と、特定部とを備える。受信部は、遠隔操作装置から、遠隔操作装置の使用者の個人情報と機器の運転データとを第２通信回線経由で受信する。遠隔操作装置は、機器を第１通信回線経由で遠隔操作し、機器の運転データを第１通信回線経由で受信する。特定部は、遠隔操作装置の使用者の個人情報と機器の運転データとに基づき、機器の修理に関する情報を特定する。
【００６７】
この修理管理装置では、受信部が、機器の運転データを第１通信回線経由で受信する遠隔操作装置から、遠隔操作装置の使用者の個人情報と機器の運転データとを第２通信回線経由で受信する。特定部が、遠隔操作装置の使用者の個人情報と機器の運転データとに基づき、機器の修理に関する情報を特定する。
したがって、修理管理装置は、遠隔操作装置の使用者の個人情報から遠隔操作装置の使用者の連絡先を特定することができるので、機器の修理に関する訪問先を特定することができる。修理管理装置は、機器の運転データから機器の故障の内容を特定することができるので、機器の修理の内容を特定することができる。その結果、迅速に修理に対応することができる。
【００６８】
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。
請求項３３に係る機器は、受信部と、送信部とを備える。受信部は、遠隔操作装置から運転に関する命令を第１通信回線経由で受信する。遠隔操作装置は、遠隔操作する。送信部は、回線管理装置へ、機器の運転データを第１通信回線経由で送信する。回線管理装置は、遠隔操作装置の使用者の連絡先を特定する。修理管理装置に少なくとも機器の運転データが第２通信回線経由で受信されるようにするために、機器の運転データは、遠隔操作装置から回線管理装置へ第２通信回線経由で送信される。修理管理装置は、機器の故障に関する連絡を受ける。
【００６９】
この機器では、受信部が、遠隔操作装置から運転に関する命令を第１通信回線経由で受信する。受信部が、遠隔操作装置から、機器の運転データを取得したい旨の要求を第１通信回線経由で受信することができる。送信部が、機器の運転データを遠隔操作装置へ第１通信回線経由で送信する。機器の運転データが、遠隔操作装置から、遠隔操作装置の使用者の個人情報とともに、回線管理装置へ第２通信回線経由で送信される。これにより、修理管理装置に、少なくとも機器の運転データとが、第２通信回線経由で受信されるようにすることができる。
【００７０】
したがって、回線管理装置が、遠隔操作装置の使用者の個人情報から遠隔操作装置の使用者の連絡先を特定することができるので、機器の修理に関する訪問先を特定することができる。修理管理装置が、機器の運転データから機器の故障の内容を特定することができるので、機器の修理の内容を特定することができる。その結果、迅速に修理に対応することができる。
【００７１】
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。修理管理装置は、回線管理装置から、機器の運転データだけでなく、遠隔操作装置の使用者の個人情報や連絡先などを、第２通信回線経由で受信してもよい。機器の故障に関する連絡は、運転データの整理番号のようなもので互いに区別されてもよいし、故障の整理番号のようなもので互いに区別されてもよいし、故障の整理番号のようなものを含まずに遠隔操作装置の使用者の個人情報や連絡先などで互いに区別されてもよい。
【００７２】
請求項３４に係る機器は、受信部と、送信部とを備える。受信部は、遠隔操作装置から運転に関する命令を第１通信回線経由で受信する。遠隔操作装置は、遠隔操作する。送信部は、機器の運転データを遠隔操作装置へ第１通信回線経由で送信する。機器の運転データは、遠隔操作装置から、遠隔操作装置の使用者の個人情報とともに、修理管理装置へ第２通信回線経由で送信される。修理管理装置は、機器の故障に関する連絡を受ける。
【００７３】
この機器では、受信部が、遠隔操作装置から運転に関する命令を第１通信回線経由で受信する。受信部が、遠隔操作装置から、機器の運転データを取得したい旨の要求を第１通信回線経由で受信することができる。送信部が、機器の運転データを遠隔操作装置へ第１通信回線経由で送信する。機器の運転データが、遠隔操作装置から、遠隔操作装置の使用者の個人情報とともに、修理管理装置へ第２通信回線経由で送信される。
【００７４】
したがって、修理管理装置は、遠隔操作装置の使用者の個人情報から遠隔操作装置の使用者の連絡先を特定することができるので、機器の修理に関する訪問先を特定することができる。修理管理装置は、機器の運転データから機器の故障の内容を特定することができるので、機器の修理の内容を特定することができる。その結果、迅速に修理に対応することができる。
【００７５】
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。
請求項３５に係る修理依頼方法は、機器の修理を依頼するための修理依頼方法であって、第１ステップと、第２ステップと、第３ステップとを備える。第１ステップでは、遠隔操作装置に、機器の運転データが第１通信回線経由で受信される。遠隔操作装置は、機器を第１通信回線経由で遠隔操作する。第２ステップでは、遠隔操作装置から、遠隔操作装置の使用者の個人情報と機器の運転データとが第２通信回線経由で受信されて、遠隔操作装置の使用者の連絡先が特定される。第３ステップでは、少なくとも第１ステップで受信された運転データが、第２通信回線経由で受信され、機器の故障に関する連絡が受け付けられる。
【００７６】
この修理依頼方法では、遠隔操作装置により、機器が第１通信回線経由で遠隔操作される。第１ステップにおいて、機器の運転データを取得したい旨の要求が第１通信回線経由で機器に送信され得る。第１ステップにおいて、機器の運転データが第１通信回線経由で機器から受信される。第２ステップにおいて、遠隔操作装置の使用者の個人情報と機器の運転データとが、遠隔操作装置から第２通信回線経由で受信される。第２ステップにおいて、遠隔操作装置の使用者の個人情報に基づき、遠隔操作装置の使用者の連絡先が特定され得る。第３ステップにおいて、遠隔操作装置の使用者の連絡先と機器の運転データとが、第２通信回線経由で受信される。第３ステップにおいて、機器の故障に関する連絡が受けられる。
【００７７】
したがって、第２ステップで個人情報に対応する連絡先が特定され得るので、修理の訪問先を特定することができる。第３ステップで機器の運転データから機器の故障の内容が特定され得るので、機器の修理の内容を特定することができる。その結果、迅速に修理に対応することができる。
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。修理管理装置は、回線管理装置から、機器の運転データだけでなく、遠隔操作装置の使用者の個人情報や連絡先などを、第２通信回線経由で受信してもよい。機器の故障に関する連絡は、運転データの整理番号のようなもので互いに区別されてもよいし、故障の整理番号のようなもので互いに区別されてもよいし、故障の整理番号のようなものを含まずに遠隔操作装置の使用者の個人情報や連絡先などで互いに区別されてもよい。
【００７８】
請求項３６に係る修理依頼方法は、機器の修理を依頼するための修理依頼方法であって、第１ステップと、第２ステップとを備える。第１ステップでは、遠隔操作装置に、機器の運転データが第１通信回線経由で受信される。遠隔操作装置は、機器を第１通信回線経由で遠隔操作する。第２ステップでは、遠隔操作装置の使用者の個人情報と第１ステップで受信された機器の運転データとが第２通信回線経由で受信され、機器の故障に関する連絡が受け付けられる。
【００７９】
この修理依頼方法では、遠隔操作装置により、機器が第１通信回線経由で遠隔操作される。第１ステップにおいて、機器の運転データを取得したい旨の要求が第１通信回線経由で機器に送信され得る。第１ステップにおいて、機器の運転データが第１通信回線経由で機器から受信される。第２ステップにおいて、遠隔操作装置の使用者の個人情報と、第１ステップで受信された機器の運転データとが、第２通信回線経由で受信される。第２ステップにおいて、機器の故障に関する連絡が受け付けられる。
【００８０】
したがって、第２ステップで個人情報に対応する連絡先が特定され得るので、修理の訪問先を特定することができる。第２ステップで機器の運転データから機器の故障の内容が特定され得るので、機器の修理の内容を特定することができる。その結果、迅速に修理に対応することができる。
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。
【００８１】
請求項３７に係る修理依頼プログラムは、遠隔操作装置に機器の修理を依頼させるための修理依頼プログラムであって、第１ステップと、第２ステップと、第３ステップとを備える。遠隔操作装置は、機器を第１通信回線経由で遠隔操作する。第１ステップでは、遠隔操作装置に、機器の運転データが第１通信回線経由で受信される。第２ステップでは、遠隔操作装置から、遠隔操作装置の使用者の個人情報と機器の運転データとが第２通信回線経由で受信されて、遠隔操作装置の使用者の連絡先が特定される。第３ステップでは、少なくとも第１ステップで受信された運転データが、第２通信回線経由で受信され、機器の故障に関する連絡が受け付けられる。
【００８２】
この修理依頼プログラムでは、遠隔操作装置により、機器が第１通信回線経由で遠隔操作される。第１ステップにおいて、機器の運転データを取得したい旨の要求が第１通信回線経由で機器に送信され得る。第１ステップにおいて、機器の運転データが第１通信回線経由で機器から受信される。第２ステップにおいて、遠隔操作装置の使用者の個人情報と機器の運転データとが、遠隔操作装置から第２通信回線経由で受信される。第２ステップにおいて、遠隔操作装置の使用者の個人情報に基づき、遠隔操作装置の使用者の連絡先が特定され得る。第３ステップにおいて、回線管理装置から、遠隔操作装置の使用者の連絡先と機器の運転データとが、第２通信回線経由で受信される。第３ステップにおいて、機器の故障に関する連絡が受けられる。
【００８３】
したがって、第２ステップで個人情報に対応する連絡先が特定され得るので、修理の訪問先を特定することができる。第３ステップで機器の運転データから機器の故障の内容が特定され得るので、機器の修理の内容を特定することができる。その結果、迅速に修理に対応することができる。
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。修理管理装置は、回線管理装置から、機器の運転データだけでなく、遠隔操作装置の使用者の個人情報や連絡先などを、第２通信回線経由で受信してもよい。機器の故障に関する連絡は、運転データの整理番号のようなもので互いに区別されてもよいし、故障の整理番号のようなもので互いに区別されてもよいし、故障の整理番号のようなものを含まずに遠隔操作装置の使用者の個人情報や連絡先などで互いに区別されてもよい。
【００８４】
請求項３８に係る修理依頼プログラムは、遠隔操作装置に機器の修理を依頼させるための修理依頼プログラムであって、第１ステップと、第２ステップとを備える。遠隔操作装置は、機器を第１通信回線経由で遠隔操作する。第１ステップでは、遠隔操作装置に、機器の運転データが第１通信回線経由で受信される。第２ステップでは、遠隔操作装置の使用者の個人情報と第１ステップで受信された機器の運転データとが第２通信回線経由で受信され、機器の故障に関する連絡が受け付けられる。
【００８５】
この修理依頼プログラムでは、遠隔操作装置により、機器が第１通信回線経由で遠隔操作される。第１ステップにおいて、機器の運転データを取得したい旨の要求が第１通信回線経由で機器に送信され得る。第１ステップにおいて、機器の運転データが第１通信回線経由で機器から受信される。第２ステップにおいて、遠隔操作装置の使用者の個人情報と、第１ステップで受信された機器の運転データとが、第２通信回線経由で受信される。第２ステップにおいて、機器の故障に関する連絡が受け付けられる。
【００８６】
したがって、第２ステップで個人情報に対応する連絡先が特定され得るので、修理の訪問先を特定することができる。第２ステップで機器の運転データから機器の故障の内容が特定され得るので、機器の修理の内容を特定することができる。その結果、迅速に修理に対応することができる。
なお、第１通信回線は、無線回線でもよいし、有線回線でもよい。遠隔操作装置の使用者の個人情報は、遠隔操作装置のアドレスでもよいし、遠隔操作装置の電話番号でもよいし、遠隔操作装置のＩＤでもよいし、遠隔操作装置の使用者の住所・氏名でもよいし、遠隔操作装置の存在場所の経度・緯度でもよい。
【発明の効果】
【００８７】
請求項１に係る修理依頼システムでは、回線管理装置で個人情報に対応する連絡先が特定され、修理管理装置で機器の運転データが受信されるので、修理の訪問先及び修理内容を迅速に特定することができる。その結果、迅速に修理に対応することができる。
請求項２に係る修理依頼システムでは、回線管理装置で個人情報に対応する連絡先が特定され、修理管理装置で連絡先が受信されることにより、修理の訪問先及び修理内容を迅速に特定することができる。その結果、迅速に修理に対応することができる。
【００８８】
請求項３に係る修理依頼システムでは、遠隔操作装置が、機器の故障の連絡に関する要否に応じて、回線管理装置を経由して、修理管理装置へ機器の故障に関して連絡することができる。その結果、遠隔操作装置の使用者の意思に基づいて、修理に対応することができる。
請求項４に係る修理依頼システムでは、修理管理装置が、機器の種類を特定する情報と機器の故障の種類を特定する情報とに基づいて、機器の故障状態を容易に特定することができる。その結果、機器の修理内容を容易に特定することができる。
【００８９】
請求項５に係る修理依頼システムでは、修理管理装置が、機器の故障直前における運転状態の履歴に基づいて、機器の故障状態を詳細に特定することができる。その結果、機器の修理内容を詳細に特定することができる。
請求項６に係る修理依頼システムでは、既存の電話回線を用いて修理依頼システムを構成することができる。このため、修理依頼システムを低コストで構成することができる。
【００９０】
請求項７に係る修理依頼システムでは、既存の携帯電話を用いて修理依頼システムを構成することができる。このため、修理依頼システムを低コストで構成することができる。
請求項８に係る修理依頼システムでは、既存のインターネット回線を用いて修理依頼システムを構成することができる。このため、修理依頼システムを低コストで構成することができる。
【００９１】
請求項９に係る修理依頼システムでは、機器のユーザに機器の修理に関する情報を迅速に提供することができる。このため、機器の故障が発生してから早期に、修理の依頼に関して要否をユーザに決定してもらうことができる。
請求項１０に係る修理依頼システムでは、機器のユーザに機器の修理に関する情報を迅速に提供することができる。このため、機器の故障が発生してから早期に、修理の依頼に関して要否をユーザに決定してもらうことができる。
【００９２】
請求項１１に係る修理依頼システムでは、遠隔操作装置が、機器の修理の依頼に関する要否に応じて、修理管理装置へ機器の修理を依頼することができる。その結果、遠隔操作装置の使用者の意思に基づいて、修理へ対応することができる。
請求項１２に係る修理依頼システムでは、機器の修理が可能な日を迅速にユーザに知らせることができる。その結果、機器の故障が発生してから早期に、機器を修理する日をユーザに決定してもらうことができる。
【００９３】
請求項１３に係る修理依頼システムでは、機器のユーザに見積もり額を迅速に提供することができる。その結果、機器の故障が発生してから早期に、修理の依頼に関して要否をユーザに決定してもらうことができる。
請求項１４に係る修理依頼システムでは、修理管理装置において、機器の修理において交換する部品を迅速に発注することができる。その結果、迅速に修理に対応することができる。
【００９４】
請求項１５に係る修理依頼システムでは、修理管理装置が、遠隔操作装置の使用者の個人情報から遠隔操作装置の使用者の連絡先を特定することができるので、機器の修理に関する訪問先を特定することができる。修理管理装置が、機器の運転データから機器の故障の内容を特定することができるので、機器の修理の内容を特定することができる。その結果、迅速に修理に対応することができる。
【００９５】
請求項１６に係る修理依頼システムでは、修理管理装置が、機器の運転データから機器の故障の内容を特定することができるので、機器の修理の内容を特定することができる。その結果、迅速に修理に対応することができる。
請求項１７に係る修理依頼システムでは、遠隔操作装置が、機器の故障の連絡に関する要否に応じて、修理管理装置へ機器の故障に関して連絡することができる。その結果、遠隔操作装置の使用者の意思に基づいて、修理に対応することができる。
【００９６】
請求項１８に係る修理依頼システムでは、修理管理装置が、遠隔操作装置の使用者の個人情報に対応する第２通信回線の利用者の連絡先を、第２通信回線経由で回線管理装置から受信することができる。その結果、遠隔操作装置の使用者の連絡先を特定することができるので、機器の修理に関する訪問先を容易に特定することができる。
請求項１９に係る修理依頼システムでは、修理管理装置が、機器の種類を特定する情報と機器の故障の種類を特定する情報とに基づいて、機器の故障状態を容易に特定することができる。その結果、機器の修理内容を容易に特定することができる。
【００９７】
請求項２０に係る修理依頼システムでは、修理管理装置が、機器の故障直前における運転状態の履歴に基づいて、機器の故障状態を詳細に特定することができる。その結果、機器の修理内容を詳細に特定することができる。
請求項２１に係る修理依頼システムでは、既存の電話回線を用いて修理依頼システムを構成することができる。このため、修理依頼システムを低コストで構成することができる。
【００９８】
請求項２２にかかる修理依頼システムでは、既存の携帯電話を用いて修理依頼システムを構成することができる。このため、修理依頼システムを低コストで構成することができる。
請求項２３にかかる修理依頼システムでは、既存のインターネット回線を用いて修理依頼システムを構成することができる。このため、修理依頼システムを低コストで構成することができる。
【００９９】
請求項２４に係る修理依頼システムでは、機器のユーザに機器の修理に関する情報を迅速に提供することができる。このため、機器の故障が発生してから早期に、修理の依頼に関して要否をユーザに決定してもらうことができる。
請求項２５に係る修理依頼システムでは、遠隔操作装置が、機器の修理の依頼に関する要否に応じて、修理管理装置へ機器の修理を依頼することができる。その結果、遠隔操作装置の使用者の意思に基づいて、修理へ対応することができる。
【０１００】
請求項２６に係る修理依頼システムでは、機器の修理が可能な日を迅速にユーザに知らせることができる。その結果、機器の故障が発生してから早期に、機器を修理する日をユーザに決定してもらうことができる。
請求項２７に係る修理依頼システムでは、機器のユーザに見積もり額を迅速に提供することができる。その結果、機器の故障が発生してから早期に、修理の依頼に関して要否をユーザに決定してもらうことができる。
【０１０１】
請求項２８に係る修理依頼システムでは、修理管理装置が、機器の修理において交換する部品を迅速に発注することができる。その結果、迅速に修理に対応することができる。
請求項２９に係る遠隔操作装置では、修理管理装置は、遠隔操作装置の使用者の個人情報から遠隔操作装置の使用者の連絡先を特定することができるので、機器の修理に関する訪問先を特定することができる。修理管理装置は、機器の運転データから機器の故障の内容を特定することができるので、機器の修理の内容を特定することができる。その結果、迅速に修理に対応することができる。
【０１０２】
請求項３０に係る遠隔操作装置では、修理管理装置は、遠隔操作装置の使用者の個人情報から遠隔操作装置の使用者の連絡先を特定することができるので、機器の修理に関する訪問先を特定することができる。修理管理装置は、機器の運転データから機器の故障の内容を特定することができるので、機器の修理の内容を特定することができる。その結果、迅速に修理に対応することができる。
【０１０３】
請求項３１に係る修理管理装置では、回線管理装置が、遠隔操作装置の使用者の連絡先に基づいて、機器の修理に関する訪問先を特定することができる。修理管理装置が、機器の運転データから機器の故障の内容を特定することができるので、機器の修理の内容を特定することができる。その結果、迅速に修理に対応することができる。
請求項３２に係る修理管理装置では、修理管理装置は、遠隔操作装置の使用者の個人情報から遠隔操作装置の使用者の連絡先を特定することができるので、機器の修理に関する訪問先を特定することができる。修理管理装置は、機器の運転データから機器の故障の内容を特定することができるので、機器の修理の内容を特定することができる。その結果、迅速に修理に対応することができる。
【０１０４】
請求項３３に係る機器では、回線管理装置が、遠隔操作装置の使用者の個人情報から遠隔操作装置の使用者の連絡先を特定することができるので、機器の修理に関する訪問先を特定することができる。修理管理装置が、機器の運転データから機器の故障の内容を特定することができるので、機器の修理の内容を特定することができる。その結果、迅速に修理に対応することができる。
【０１０５】
請求項３４に係る機器では、修理管理装置は、遠隔操作装置の使用者の個人情報から遠隔操作装置の使用者の連絡先を特定することができるので、機器の修理に関する訪問先を特定することができる。修理管理装置は、機器の運転データから機器の故障の内容を特定することができるので、機器の修理の内容を特定することができる。その結果、迅速に修理に対応することができる。
【０１０６】
請求項３５に係る修理依頼方法では、第２ステップで個人情報に対応する連絡先が特定され得るので、修理の訪問先を特定することができる。第３ステップで機器の運転データから機器の故障の内容が特定され得るので、機器の修理の内容を特定することができる。その結果、迅速に修理に対応することができる。
請求項３６に係る修理依頼方法では、第２ステップで個人情報に対応する連絡先が特定され得るので、修理の訪問先を特定することができる。第２ステップで機器の運転データから機器の故障の内容が特定され得るので、機器の修理の内容を特定することができる。その結果、迅速に修理に対応することができる。
【０１０７】
請求項３７に係る修理依頼プログラムでは、第２ステップで個人情報に対応する連絡先が特定され得るので、修理の訪問先を特定することができる。第３ステップで機器の運転データから機器の故障の内容が特定され得るので、機器の修理の内容を特定することができる。その結果、迅速に修理に対応することができる。
請求項３８に係る修理依頼プログラムでは、第２ステップで個人情報に対応する連絡先が特定され得るので、修理の訪問先を特定することができる。第２ステップで機器の運転データから機器の故障の内容が特定され得るので、機器の修理の内容を特定することができる。その結果、迅速に修理に対応することができる。
【発明を実施するための最良の形態】
【０１０８】
［第１実施形態］
本発明の第１実施形態に係る修理依頼システム１の構成図を図１に示す。また、本発明の第１実施形態に係る修理依頼システム１の各構成要素の構成図を図２に示す。ここに示す修理依頼システム１は、主として空調機１０の修理を依頼するためのシステムである。
＜修理依頼システム１の全体構成＞
図１に示すように、この修理依頼システム１は、主として空調機１０、携帯電話リモコン２０、修理センター３０、無線回線７０、電話回線６０及び回線管理センター９０を備える。空調機１０と携帯電話リモコン２０とは、無線回線７０を経由して通信する。携帯電話リモコン２０と回線管理センター９０とは、電話回線６０を経由して通信する。回線管理センター９０と修理センター３０とは、電話回線６０を経由して通信する。
【０１０９】
＜空調機１０の構成＞
図２に示すように、空調機１０は、主として受信部１１、送信部１２、処理部１３、記憶部１４及び冷媒回路１５を備える。
受信部１１は、空調機１０の運転に関する命令を携帯電話リモコン２０から無線回線７０経由で受信する。受信部１１は、空調機１０の運転に関する命令を処理部１３に渡す。処理部１３は、空調機１０の運転に関する命令に対応して冷媒回路１５を動作又は停止させる。
【０１１０】
処理部１３は、空調機１０の運転状態の履歴を冷媒回路１５から定期的に取得して、記憶部１４に渡す。記憶部１４は、空調機１０の運転状態の履歴を記憶するだけでなく、空調機１０の機種コード番号を記憶している。また、記憶部１４は、故障発生時には、空調機１０の故障コード番号を記憶する。受信部１１は、空調機１０の機種コード番号と空調機１０の故障コード番号と空調機１０の故障３０分前からの運転状態の履歴とを取得したい旨の要求を、携帯電話リモコン２０から無線回線７０経由で受信する。受信部１１は、空調機１０の故障３０分前からの運転状態の履歴を取得したい旨の要求を処理部１３へ渡す。処理部１３は、空調機１０が故障しているか否かを判断する。空調機１０が故障していると判断した場合、処理部１３は、記憶部１４を参照して、空調機１０の機種コード番号と空調機１０の故障コード番号と空調機１０の故障３０分前からの運転状態の履歴とを取得する。処理部１３は、空調機１０の機種コード番号と空調機１０の故障コード番号と空調機１０の故障３０分前からの運転状態の履歴とを送信部１２へ渡す。送信部１２は、空調機１０の機種コード番号と空調機１０の故障コード番号と空調機１０の故障３０分前からの運転状態の履歴とを、無線回線７０経由で携帯電話リモコン２０へ送信する。
【０１１１】
＜携帯電話リモコン２０の構成＞
図２に示すように、携帯電話リモコン２０は、主として入力部２２、処理部２５、報知部２１、機器送受信部２３及び装置送受信部２４を備える。
入力部２２では、空調機１０の運転に関する命令が入力される。処理部２５は、空調機１０の運転に関する命令を入力部２２から受け取り、機器送受信部２３へ渡す。機器送受信部２３は、空調機１０の運転に関する命令を無線回線７０経由で空調機１０に送信する。
【０１１２】
入力部２２では、空調機１０が故障している疑いがある場合、又は定期的に、故障診断したい旨の要求が入力される。処理部２５は、故障診断したい旨の要求を入力部２２から取得する。これにより、処理部２５は、空調機１０の機種コード番号と空調機１０の故障コード番号と空調機１０の故障３０分前からの運転状態の履歴とを取得したい旨の要求を機器送受信部２３に渡す。機器送受信部２３は、空調機１０の機種コード番号と空調機１０の故障コード番号と空調機１０の故障３０分前からの運転状態の履歴とを取得したい旨の要求を、無線回線７０経由で空調機１０に送信する。
【０１１３】
機器送受信部２３は、空調機１０の機種コード番号と空調機１０の故障コード番号と空調機１０の故障３０分前からの運転状態の履歴とを、無線回線７０経由で空調機１０から受信して、処理部２５に渡す。処理部２５は、空調機１０の故障コード番号を報知部２１に渡す。報知部２１は、空調機１０の故障コード番号を報知する。入力部２２では、空調機１０の故障コード番号を確認した旨が入力される。報知部２１は、空調機１０の故障を修理センター３０に連絡してよいか否かの問いを表示する。入力部２２では、空調機１０の故障の連絡に関して要否が入力される。空調機１０の故障の連絡が必要であると入力部２２に入力された場合は、空調機１０の故障の連絡が必要である旨が、入力部２２から処理部２５へ伝えられる。処理部２５は、空調機１０の機種コード番号と空調機１０の故障コード番号と空調機１０の故障３０分前からの運転状態の履歴とを、装置送受信部２４に渡す。装置送受信部２４は、空調機１０の機種コード番号と空調機１０の故障コード番号と空調機１０の故障３０分前からの運転状態の履歴と携帯電話リモコン２０の電話番号とを、電話回線６０経由で回線管理センター９０へ送信する。
【０１１４】
装置送受信部２４は、空調機１０の詳細な故障内容と空調機１０の修理が可能な日と空調機１０の故障に対する見積もり額とを、回線管理センター９０から電話回線６０経由で受信し、処理部２５へ渡す。処理部２５は、空調機１０の詳細な故障内容と空調機１０の修理が可能な日と空調機１０の故障に対する見積もり額とを、報知部２１へ渡す。報知部２１は、空調機１０の詳細な故障内容と空調機１０の修理が可能な日と空調機１０の故障に対する見積もり額とを、報知する。報知部２１は、空調機１０の修理を修理センター３０に依頼してよいか否かの問いを表示する。入力部２２では、空調機１０の修理の依頼に関して要否が入力される。空調機１０の修理の依頼に関する要否の情報が、入力部２２から処理部２５へ伝えられる。処理部２５は、空調機１０の修理の依頼に関する要否の情報を、装置送受信部２４に渡す。装置送受信部２４は、空調機１０の修理の依頼に関する要否の情報と修理希望日の情報とを、電話回線６０経由で回線管理センター９０へ送信する。
【０１１５】
＜回線管理センター９０の構成＞
図２に示すように、回線管理センター９０は、主として送受信部９１，特定部９２及び顧客データベース９３を備える。
送受信部９１は、空調機１０の機種コード番号と空調機１０の故障コード番号と空調機１０の故障３０分前からの運転状態の履歴と携帯電話リモコン２０の電話番号とを、電話回線６０経由で携帯電話リモコン２０から受信し、特定部９２へ渡す。特定部９２は、顧客データベース９３を参照し、携帯電話リモコン２０の電話番号から、携帯電話リモコン２０の使用者の住所と氏名とを特定する。送受信部９１は、空調機１０の機種コード番号と空調機１０の故障コード番号と空調機１０の故障３０分前からの運転状態の履歴と携帯電話リモコン２０の使用者の住所及び氏名とを、特定部９２から取得し、電話回線６０経由で修理管理センター３０に送信する。
【０１１６】
送受信部９１は、空調機１０の詳細な故障内容と空調機１０の修理が可能な日と空調機１０の故障に対する見積もり額とを、回線管理センター９０から電話回線６０経由で受信し、携帯電話リモコン２０へ電話回線６０経由で転送する。
＜修理センター３０の構成＞
図２に示すように、修理センター３０は、主として送受信部３１と特定部３２と故障データベース３４とを備える。
【０１１７】
送受信部３１は、空調機１０の機種コード番号と空調機１０の故障コード番号と空調機１０の故障３０分前からの運転状態の履歴とを、電話回線６０経由で回線管理センター９０から受信し、特定部３２へ渡す。特定部３２は、故障データベース３４を参照し、空調機１０の機種コード番号と空調機１０の故障コード番号とから、空調機１０の故障内容を特定する。さらに、特定部３２は、空調機１０の故障内容と空調機１０の故障３０分前からの運転状態の履歴とから、空調機１０の故障内容を詳細に特定する。特定部３２は、空調機１０の詳細な故障内容に基づき、空調機１０の修理が可能な日と空調機１０の故障に対する見積もり額と空調機１０の修理において交換する部品とを、特定する。特定部３２は、空調機１０の修理において交換する部品の在庫を確認し、部品の在庫がなければ発注をかける。送受信部３１は、空調機１０の詳細な故障内容と空調機１０の修理が可能な日と空調機１０の故障に対する見積もり額とを、特定部３２から取得し、電話回線６０経由で回線管理センター９０に送信する。
【０１１８】
送受信部３１は、空調機１０の修理の依頼に関する要否の情報と修理希望日の情報とを、電話回線６０経由で回線管理センター９０から受信する。
＜無線回線７０の構成＞
図１，図２に示すように、無線回線７０は、空調機１０と携帯電話リモコン２０との間における通信を媒介する。無線回線７０は、赤外線を用いた通信回線である。
【０１１９】
＜電話回線６０の構成＞
図１に示すように、電話回線６０は、主として携帯電話回線６０ａと固定電話回線６０ｂと携帯電話基地局６０ｃとを備える。携帯電話リモコン２０から発せられた電波は、携帯電話回線６０ａを経由して携帯電話基地局６０ｃで受信され、固定電話回線６０ｂへ転送され、固定電話回線６０ｂ経由で回線管理センター９０に受信される。回線管理センター９０と修理センター３０との間は、固定電話回線６０ｂのみを経由して通信を行う。
【０１２０】
＜冷媒回路１５の構成＞
図３に示すように、冷媒回路１５は、主として圧縮機１５１、四路切換弁１５２、室外熱交換器１５３、膨張弁１５４、室内熱交換器１５５、アキュムレータ１５６、プロペラファン１５７、クロスフローファン１５８、室外吸い込み温度センサー４０１、室外吹き出し温度センサー４０２、室内吸い込み温度センサー４０３、室内吹き出し温度センサー４０４、高圧圧力センサー４０５及び低圧圧力センサー４０６を備える。四路切換弁１５２は、圧縮機１５１の吐出側に接続されている。アキュムレータ１５６は、圧縮機１５１の吸引側に接続され、圧縮機１５１に液状の冷媒が混入するのを防止する。室外吸い込み温度センサー４０１は、室外熱交換器１５３に吸い込まれた室外空気８１の温度を測定する。室外吹き出し温度センサー４０２は、室外熱交換器１５３から吹き出された室外空気８２の温度を測定する。室内吸い込み温度センサー４０３は、室内熱交換器１５５に吸い込まれた室内空気８３の温度を測定する。室内吹き出し温度センサー４０４は、室内熱交換器１５５に吸い込まれた室内空気８４の温度を測定する。高圧圧力センサー４０５は、圧縮機１５１から吐出された冷媒の圧力を測定する。低圧圧力センサー４０６は、圧縮機１５１に吸い込まれた冷媒の圧力を測定する。
【０１２１】
冷房運転時には、四路切換弁１５２を図３の実線の位置とし、膨張弁１５４を所定の開度に絞り、圧縮機１５１を起動する。圧縮機１５１から吐出される高圧冷媒は、室外熱交換器１５３で凝縮する際に、プロペラファン１５７により送られた室外空気８１に熱を与え、この熱を与えられた室外空気８２は暖気となる。熱を放出した高圧冷媒は、膨張弁１５４で減圧される。減圧された低圧冷媒は、室内熱交換器１５５で冷媒が蒸発する際に、クロスフローファン１５８により送られた室内空気８３の熱を奪い、この熱を奪われた室内空気８４が室内を冷房する。熱を吸収した低圧冷媒は、四路切換弁１５２，アキュムレータ１５６を介して圧縮機１５１に戻る。
【０１２２】
暖房運転時には、四路切換弁１５２を図３の破線の位置とし、膨張弁１５４を所定の開度に絞り、圧縮機１５１を起動する。圧縮機１５１から吐出される高圧冷媒は、室内熱交換器１５５で凝縮する際に、クロスフローファン１５８により送られた室内空気８３に熱を与え、この熱を与えられた室内空気８４が室内を暖房する。熱を放出した高圧冷媒は、膨張弁１５４で減圧される。減圧された低圧冷媒は、室外熱交換器１５３で冷媒が蒸発する際に、プロペラファン１５７により送られた室外空気８１の熱を奪い、この熱を奪われた室外空気８２が冷気となる。熱を吸収した低圧冷媒は、四路切換弁１５２，アキュムレータ１５６を介して圧縮機１５１に戻る。
【０１２３】
＜顧客データベース１９３の構成＞
図４に示すように、顧客データベース９３は、主として電話番号欄９３１と氏名欄９３２と住所欄９３３とを備える。
図２に示す修理センター３０の特定部３２は、図４に示す顧客データベース９３の電話番号欄９３１を参照し、図１，図２に示す携帯電話リモコン２０の電話番号に対応した氏名・住所を、図４に示す顧客データベース９３の氏名欄９３２と住所欄９３３とから特定する。
【０１２４】
＜故障データベース３４の構成＞
図５に示すように、故障データベース３４は、主として機種コード欄３４１と故障コード欄３４２と故障内容欄３４３とを備える。
図２に示す修理センター３０の特定部３２は、図４に示す故障データベース３４の機種コード欄３４１と故障コード欄３４２とを参照し、図１，図２に示す空調機１０の機種コード欄３４１と故障コード欄３４２とに対応した故障内容を、図４に示す故障データベース３４の故障内容欄３４３から特定する。
【０１２５】
＜修理依頼システム１が空調機１０の故障に対応する処理の流れ＞
図１の修理依頼システム１が空調機１０の故障に対応する処理の流れを、図６及び図７に示すフローチャートを用いて説明する。
図６に示すステップＳ１では、図１に示す携帯電話リモコン２０が操作される。すなわち、図２に示す携帯電話リモコン２０の入力部２２に、故障診断したい旨の要求が入力される。故障診断したい旨の要求が、入力部２２から処理部２５へ渡される。これにより、空調機１０の機種コード番号と空調機１０の故障コード番号と空調機１０の故障３０分前からの運転状態の履歴とを取得したい旨の要求が、処理部２５から機器送受信部２３へ渡され、無線回線７０経由で空調機１０へ送信される。空調機１０の機種コード番号と空調機１０の故障コード番号と空調機１０の故障３０分前からの運転状態の履歴とを取得したい旨の要求が、携帯電話リモコン２０から無線回線７０経由で受信部１１により受信される。空調機１０の故障３０分前からの運転状態の履歴を取得したい旨の要求が受信部１１により処理部１３へ渡される。
【０１２６】
図６に示すステップＳ２では、図１に示す空調機１０が故障しているか否かが図２に示す処理部１３により判断される。図１に示す空調機１０が故障していると判断された場合は、図６に示すステップＳ３へ進められ、図１に示す空調機１０が故障していないと判断された場合は、処理が終了される（図６，図７で示す2)）。
【０１２７】
図６に示すステップＳ３では、図１に示す空調機１０の故障が報知される。すなわち、図２に示す携帯電話リモコン２０の処理部１３により、記憶部１４が参照され、空調機１０の機種コード番号と空調機１０の故障コード番号と空調機１０の故障３０分前からの運転状態の履歴とが取得される。処理部１３により、空調機１０の機種コード番号と空調機１０の故障コード番号と空調機１０の故障３０分前からの運転状態の履歴とが送信部１２へ渡される。送信部１２により、空調機１０の機種コード番号と空調機１０の故障コード番号と空調機１０の故障３０分前からの運転状態の履歴とが、無線回線７０経由で携帯電話リモコン２０へ送信される。機器送受信部２３により、空調機１０の機種コード番号と空調機１０の故障コード番号と空調機１０の故障３０分前からの運転状態の履歴とが、無線回線７０経由で空調機１０から受信され、処理部２５に渡される。処理部２５により、空調機１０の故障コード番号が報知部２１に渡される。報知部２１により、空調機１０の故障コード番号が報知される。入力部２２では、空調機１０の故障コード番号を確認した旨が入力される。報知部２１により、空調機１０の故障を修理センター３０に連絡してよいか否かの問いが表示される。
【０１２８】
図６に示すステップＳ４では、図１に示す空調機１０の故障を修理センター３０へ連絡してよいか否かが判断される。修理センター３０へ連絡してよいと判断された場合は、図２に示す入力部２２に空調機１０の修理の連絡が必要である旨が入力され、図６に示すステップＳ５へ進められる。図１に示す修理センター３０へ連絡しなくてよいと判断された場合は、図２に示す入力部２２に空調機１０の修理の連絡が必要でない旨が入力され、処理が終了される（図６，図７で示す2)）。
【０１２９】
図６に示すステップＳ５では、図１に示す空調機１０の故障が回線管理センター９０へ連絡される。すなわち、空調機１０の修理の連絡が必要である旨が、入力部２２から処理部２５へ伝えられる。処理部２５により、空調機１０の機種コード番号と空調機１０の故障コード番号と空調機１０の故障３０分前からの運転状態の履歴とが、装置送受信部２４に渡される。装置送受信部２４により、空調機１０の機種コード番号と空調機１０の故障コード番号と空調機１０の故障３０分前からの運転状態の履歴と携帯電話リモコン２０の電話番号とが、電話回線６０経由で回線管理センター９０へ送信される。
【０１３０】
図６に示すステップＳ６では、図１に示す携帯電話リモコン２０の連絡先に関する情報が特定される。すなわち、図２に示す回線管理センター９０の送受信部９１により、空調機１０の機種コード番号と空調機１０の故障コード番号と空調機１０の故障３０分前からの運転状態の履歴と携帯電話リモコン２０の電話番号とが、電話回線６０経由で携帯電話リモコン２０から受信され、特定部９２へ渡される。特定部９２により、顧客データベース９３が参照され、携帯電話リモコン２０の電話番号から、携帯電話リモコン２０の使用者の住所と氏名とが特定される。
【０１３１】
図６に示すステップＳ７では、図１に示す空調機１０の故障が回線管理センター９０から修理センター３０へ連絡される。すなわち、図２に示す送受信部１９１により、空調機１０の機種コード番号と空調機１０の故障コード番号と空調機１０の故障３０分前からの運転状態の履歴と携帯電話リモコン２０の使用者の住所及び氏名とが、特定部３２から取得され、電話回線６０経由で修理管理センター３０に送信される。
【０１３２】
図６に示すステップＳ８では、図１に示す空調機１０の修理に関する情報が特定される。すなわち、図２に示す修理センター３０の送受信部３１により、空調機１０の機種コード番号と空調機１０の故障コード番号と空調機１０の故障３０分前からの運転状態の履歴と携帯電話リモコン２０の使用者の住所及び氏名とが、電話回線６０経由で携帯電話リモコン２０から受信され、特定部３２へ渡される。特定部３２により、故障データベース３４が参照され、空調機１０の機種コード番号と空調機１０の故障コード番号とから、空調機１０の故障内容が特定される。さらに、特定部３２により、空調機１０の故障内容と空調機１０の故障３０分前からの運転状態の履歴とから、空調機１０の故障内容が詳細に特定される。特定部３２により、空調機１０の詳細な故障内容に基づき、空調機１０の修理が可能な日と空調機１０の故障に対する見積もり額と空調機１０の修理において交換する部品とが、特定される。特定部３２により、空調機１０の修理において交換する部品の在庫が確認され、部品の在庫がなければ発注がかけられる（図６，図７で示す1)）。
【０１３３】
図７に示すステップＳ９では、図１に示す空調機１０の修理に関する情報が転送される。すなわち、図２に示す修理センター３０の送受信部３１により、空調機１０の詳細な故障内容と空調機１０の修理が可能な日と空調機１０の故障に対する見積もり額とが、特定部３２から取得され、電話回線６０経由で回線管理センター９０に送信される。回線管理センター９０の送受信部９１により、空調機１０の詳細な故障内容と空調機１０の修理が可能な日と空調機１０の故障に対する見積もり額とが、回線管理センター９０から電話回線６０経由で受信され、携帯電話リモコン２０へ電話回線６０経由で転送される。
【０１３４】
図７に示すステップＳ１０では、図１に示す空調機１０の修理に関する情報が携帯電話リモコン２０に受信される。すなわち、図２に示す修理センター３０の送受信部３１により、空調機１０の詳細な故障内容と空調機１０の修理が可能な日と空調機１０の故障に対する見積もり額とが、特定部３２から取得され、電話回線６０経由でリモコンに送信される。携帯電話リモコン２０の装置送受信部２４により、空調機１０の詳細な故障内容と空調機１０の修理が可能な日と空調機１０の故障に対する見積もり額とが、修理センター３０から電話回線６０経由で受信され、処理部２５へ渡される。処理部２５により、空調機１０の詳細な故障内容と空調機１０の修理が可能な日と空調機１０の故障に対する見積もり額とが、報知部２１へ渡される。報知部２１により、空調機１０の詳細な故障内容と空調機１０の修理が可能な日と空調機１０の故障に対する見積もり額とが、報知される。報知部２１により、空調機１０の修理を修理センター３０に依頼してよいか否かの問いが表示される。
【０１３５】
図７に示すステップＳ１１では、図１に示す空調機１０の故障の修理を依頼すべきであるか否かが判断される。図１に示す空調機１０の故障の修理を依頼すべきであると判断された場合は、図２に示す入力部２２に空調機１０の故障の修理を依頼する旨と修理希望日とが入力され、図７に示すステップＳ１２へ進められる。図１に示す空調機１０の故障の修理を依頼すべきでないと判断された場合は、図２に示す入力部２２に空調機１０の故障の修理を依頼しない旨が入力され、図７に示すステップＳ１５へ進められる。
【０１３６】
図７に示すステップＳ１２では、図１に示す空調機１０の故障の修理を依頼する旨の情報と修理希望日の情報とが回線管理センター９０へ送信される。すなわち、図２に示す空調機１０の故障の連絡が必要である旨が、入力部２２から処理部２５へ伝えられる。処理部２５により、空調機１０の機種コード番号と空調機１０の故障コード番号と空調機１０の故障３０分前からの運転状態の履歴とが、装置送受信部２４に渡される。装置送受信部２４により、空調機１０の機種コード番号と空調機１０の故障コード番号と空調機１０の故障３０分前からの運転状態の履歴と携帯電話リモコン２０の電話番号とが、電話回線６０経由で回線管理センター９０へ送信される。
【０１３７】
図７に示すステップＳ１３では、図１に示す空調機１０の故障の修理を依頼する旨の情報と修理希望日の情報とが修理センター３０へ転送される。すなわち、送受信部９１により、空調機１０の詳細な故障内容と空調機１０の修理が可能な日と空調機１０の故障に対する見積もり額とが、回線管理センター９０から電話回線６０経由で受信され、携帯電話リモコン２０へ電話回線６０経由で転送される。
【０１３８】
図７に示すステップＳ１４では、図１に示す空調機１０の故障の修理への対応が行われる。すなわち、図２に示す送受信部３１により、空調機１０の修理の依頼に関する要否の情報と修理希望日の情報とが、電話回線６０経由で回線管理センター９０から受信される。空調機１０の修理を依頼する旨の情報と修理希望日の情報とが、サービスマンに伝えられる。サービスマンが、修理希望日に、携帯電話リモコン２０の使用者の住所として特定された場所へ派遣され、空調機１０の修理が行われる。
【０１３９】
図７に示すステップＳ１５では、図１に示す空調機１０の故障の修理を依頼しない旨の情報が回線管理センター９０へ送信される。すなわち、図２に示す空調機１０の修理を依頼しない旨の情報が、携帯電話リモコン２０の入力部２２から処理部２５へ伝えられる。処理部２５により、空調機１０の修理を依頼しない旨の情報が、装置送受信部２４に渡される。装置送受信部２４により、空調機１０の修理を依頼しない旨の情報が、電話回線６０経由で回線管理センター９０へ送信される。回線管理センター９０の送受信部９１により、空調機１０の修理を依頼しない旨の情報が、電話回線６０経由で携帯電話リモコン２０から受信される。
【０１４０】
図７に示すステップＳ１６では、図１に示す空調機１０の故障の修理を依頼しない旨の情報が修理センター３０へ転送される。すなわち、送受信部９１により、空調機１０の故障の修理を依頼しない旨の情報が、回線管理センター９０から電話回線６０経由で受信され、携帯電話リモコン２０へ電話回線６０経由で転送される。
図７に示すステップＳ１７では、図１に示す空調機１０の修理において交換する部品の発注がキャンセルされる。すなわち、図２に示す送受信部３１により、図１に示す空調機１０の故障の修理を依頼しない旨の情報が、電話回線６０経由で回線管理センター９０から受信される。図１に示す空調機１０の故障の修理を依頼しない旨の情報に基づき、図１に示す空調機１０の修理において交換する部品の発注がキャンセルされる。図１に示す空調機１０の修理において交換する部品が発注されていない場合は、特に何も行われない。
【０１４１】
＜図１に示す空調機１０の修理に関する情報が特定される処理の流れ＞
図６に示すステップＳ８において、図１に示す空調機１０の修理に関する情報が特定される処理の流れの一例を、図８に示すグラフを用いて説明する。
図１に示す空調機１０の機種コード番号がＳＨＹＣＰ８０Ｄであり、空調機１０の故障コード番号がＥ３とＥ４とである場合を説明する。図２に示す特定部３２により、図５に示す顧客データベース９３が参照され、機種コード番号がＳＨＹＣＰ８０Ｄで故障コード番号がＥ３である故障内容が高圧圧力異常であると特定される。機種コード番号がＳＨＹＣＰ８０Ｄで故障コード番号がＥ４である故障内容が低圧圧力異常であると特定される。これにより、高圧圧力異常と低圧圧力異常とが発生していると予想される。
【０１４２】
図１に示す空調機１０の故障３０分前からの運転状態の履歴が図８に示すグラフのようになる場合を説明する。図３に示す室外吸い込み温度センサー４０１の測定結果が図８（ａ）で示され、図３に示す室外吹き出し温度センサー４０２の測定結果が図８（ｂ）で示され、図３に示す低圧圧力センサー４０６の測定結果が図８（ｃ）で示され、図３に示す高圧圧力センサー４０５の測定結果が図８（ｄ）で示される。図８（ａ）に示すように、図３に示す室外熱交換器１５３に吸い込まれた室外空気８１の温度は、一定であり特に異常がないことが分かる。図８（ｂ）に示すように、図３に示す室外熱交換器１５３から吹き出された室外空気８２の温度は、図８に示す時刻ｔ１に対応する点Ｐ１から上昇し始めていることが分かる。図８（ｃ）に示すように、図３に示す圧縮機１５１から吐出される冷媒の圧力は、図８に示す時刻ｔ１よりも後の時刻から上昇し始め、時刻ｔ２に対応する点Ｐ２において高圧圧力のスペックＳＰ２を外れていることが分かる。図８（ｄ）に示すように、図３に示す圧縮機１５１に吸い込まれる冷媒の圧力は、図８に示す時刻ｔ２よりも後の時刻から上昇し始め、時刻ｔ３に対応する点Ｐ３において低圧圧力のスペックＳＰ３を外れていることが分かる。
【０１４３】
図８（ａ）〜（ｄ）を分析すると、次のようになる。図３に示す冷媒回路１５において、室外熱交換器１５３において図８に示す時刻ｔ１から熱交換が充分に行われなり始める。そのため、図３に示す室外熱交換器１５３において気体の冷媒が凝縮しにくくなり、室外熱交換器１５３において気体の冷媒の割合が多くなる。その結果、凝縮後の液体の冷媒の圧力が図８に示す時刻ｔ１よりも後の時刻から上昇し始め、時刻ｔ２においてスペックよりも高い圧力となる。そして、図３に示す膨張弁１５４で減圧されるが、液体の冷媒の圧力が高めである。これにより、室内熱交換器１５５において液体の冷媒が蒸発しにくくなり、室内熱交換器１５５において気体の冷媒の割合が少なくなる。その結果、蒸発後の気体の冷媒は、圧力が低くなる傾向にはあるが、圧力が高くなっているため、全体として図８に示す時刻ｔ２よりも後の時刻から圧力が上昇し始める。そして、蒸発後の気体の冷媒は、時刻ｔ３においてスペックよりも高い圧力となる。したがって、故障内容である高圧圧力異常と低圧圧力異常とが発生していることが確認されるとともに、故障の原因が図３に示す室外熱交換器１５３において熱交換が充分に行われていることが分かる。すなわち、プロペラファン１５７が充分に回転していないことが予測される。したがって、故障内容が詳細に特定される。また、プロペラファン１５７を回転させるためのモータの交換が必要であると予測される。プロペラファン１５７を回転させるためのモータの在庫がない場合は、発注がかけられる。
【０１４４】
＜報知部２１の動作＞
図７に示すステップＳ１０における図２に示す報知部２１の動作の一例を、図９，図１０に示す概念図を用いて説明する。報知部２１により、空調機１０の詳細な故障内容だけでなく、空調機１０の修理が可能な日と空調機１０の故障に対する見積もり額とが、報知される。
【０１４５】
空調機１０の修理が可能な日は、図９に示すように報知される。図９には、図１に示す空調機１０の故障について修理センター３０へ連絡されたのが２００３年７月７日である場合を示している。空調機１０の修理において交換する部品の発注がかけられてから修理センター３０に納品されるまで３日間かかるとすると、その部品が修理センター３０に届くのは７月１０日となる。そして、サービスマンの予定も考慮した結果、修理可能日は、図９に示す斜線で示した日となる。すなわち、７月１１日、７月１５日、７月１７日、７月２３日、７月２４日、７月２８日である。
【０１４６】
空調機１０の故障に対する見積もり額は、図９に示すように報知される。図９には、プロペラファン１５７を回転させるためのモータの部品代が１万円であり、修理の作業費が３万円である場合を示している。この場合、合計の見積もり額は、４万円となる。
＜修理依頼システム１に関する特徴＞
（１）
ここでは、図１に示す携帯電話リモコン２０が、空調機１０を無線回線７０経由で遠隔操作する。携帯電話リモコン２０が、空調機１０の運転データを取得したい旨の要求を無線回線７０経由で空調機１０に送信する。携帯電話リモコン２０が、空調機１０の運転データを無線回線７０経由で空調機１０から受信する。回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理管理センター３０が、空調機１０の故障に関する連絡を受ける。
【０１４７】
したがって、回線管理センター９０で個人情報に対応する連絡先が特定され、修理センター３０で空調機１０の運転データが受信されるので、修理の訪問先及び修理内容を迅速に特定することができる。その結果、迅速に修理に対応することができる。
（２）
ここでは、図１に示す携帯電話リモコン２０が、空調機１０を無線回線７０経由で遠隔操作する。携帯電話リモコン２０が、空調機１０の運転データを取得したい旨の要求を無線回線７０経由で空調機１０に送信する。携帯電話リモコン２０が、空調機１０の運転データを無線回線７０経由で空調機１０から受信する。携帯電話リモコン２０の報知部２１が、空調機１０の故障を報知する。携帯電話リモコン２０の入力部２２では、空調機１０の故障の連絡に関して要否が入力される。回線管理センター９０が、携帯電話リモコン２０に電話回線６０を介して接続されており、空調機１０の故障の連絡を必要とする旨が入力部２２に入力された場合、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。
【０１４８】
したがって、携帯電話リモコン２０が、空調機１０の故障の連絡に関する要否に応じて、回線管理センター９０を経由して、修理センター３０へ機器の故障に関して連絡する。その結果、携帯電話リモコン２０の使用者の意思に基づいて、修理への対応が行われる。
（３）
ここでは、運転データが、図１に示す空調機１０の種類を特定する情報と空調機１０の故障の種類を特定する情報とを含む。回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定することができる。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。
【０１４９】
したがって、修理センター３０が、空調機１０の種類を特定する情報と空調機１０の故障の種類を特定する情報とに基づいて、空調機１０の故障状態を容易に特定する。その結果、空調機１０の修理内容が容易に特定される。
（４）
ここでは、運転データが、図１に示す空調機１０の故障直前における運転状態の履歴を含む。回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。
【０１５０】
したがって、修理センター３０が、空調機１０の故障直前における運転状態の履歴に基づいて、空調機１０の故障状態を詳細に特定する。その結果、空調機１０の修理内容が詳細に特定される。
（５）
ここでは、図１に示す携帯電話リモコン２０と修理センター３０とを接続する通信回線は、電話回線６０である。携帯電話リモコン２０が、空調機１０の運転データを無線回線７０経由で空調機１０から受信する。回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。
【０１５１】
したがって、既存の電話回線を用いて修理依頼システム１が構成される。このため、修理依頼システムが低コストで構成される。
（６）
ここでは、図１に示す携帯電話リモコン２０が、携帯電話である。携帯電話リモコン２０が、空調機１０を無線回線７０経由で遠隔操作する。携帯電話リモコン２が、空調機１０の運転データを取得したい旨の要求を無線回線７０経由で空調機１０に送信する。携帯電話リモコン２０が、空調機１０の運転データを無線回線７０経由で空調機１０から受信する。回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。
【０１５２】
したがって、既存の携帯電話を用いて修理依頼システム１が構成される。このため、修理依頼システムが低コストで構成される。
（７）
ここでは、図１に示す携帯電話リモコン２０が、空調機１０を無線回線７０経由で遠隔操作する。携帯電話リモコン２０が、空調機１０の運転データを取得したい旨の要求を無線回線７０経由で機器に送信する。携帯電話リモコン２０が、空調機１０の運転データを無線回線７０経由で空調機１０から受信する。回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。修理センター３０が、空調機１０の修理に関する訪問先を特定する。修理センター３０が、空調機１０の修理に関する情報を特定する。修理センター３０が、電話回線６０を経由して、回線管理センター９０へ空調機１０の修理に関する情報を送信する。回線管理センター９０が、電話回線６０を経由して、修理センター３０から機器の修理に関する情報を受信する。回線管理センター９０が、電話回線６０を経由して、携帯電話リモコン２０へ機器の修理に関する情報を送信する。携帯電話リモコン２０が、電話回線６０を経由して、回線管理センター９０から空調機１０の修理に関する情報を受信する。
【０１５３】
したがって、空調機１０のユーザに空調機１０の修理に関する情報を迅速に提供する。このため、空調機１０の故障が発生してから早期に、修理の依頼に関して要否がユーザにより決定される。
（８）
ここでは、図１に示す携帯電話リモコン２０が、空調機１０を無線回線７０経由で遠隔操作する。携帯電話リモコン２０が、空調機１０の運転データを取得したい旨の要求を無線回線７０経由で機器に送信する。携帯電話リモコン２０が、空調機１０の運転データを無線回線７０経由で空調機１０から受信する。回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。修理センター３０が、空調機１０の修理に関する訪問先を特定する。修理センター３０が、空調機１０の修理に関する情報を特定する。修理センター３０が、電話回線６０を経由して、携帯電話リモコン２０へ空調機１０の修理に関する情報を送信する。携帯電話リモコン２０が、電話回線６０を経由して、回線管理センター９０から空調機１０の修理に関する情報を受信する。
【０１５４】
したがって、空調機１０のユーザに空調機１０の修理に関する情報が迅速に提供される。このため、空調機１０の故障が発生してから早期に、修理の依頼に関して要否がユーザにより決定される。
（９）
ここでは、図１に示す回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。修理センター３０が、空調機１０の修理が可能な日を特定する。修理センター３０が、携帯電話リモコン２０を経由して、空調機１０の修理が可能な日を電話回線６０経由で携帯電話リモコン２０に送信する。携帯電話リモコン２０が、空調機１０の修理が可能な日を、回線管理センター９０から、電話回線６０経由で受信する。
【０１５５】
したがって、空調機１０の修理が可能な日が迅速にユーザに知らせられる。その結果、空調機１０の故障が発生してから早期に、機器を修理する日がユーザにより決定される。
（１０）
ここでは、図１に示す回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。修理センター３０が、空調機１０の修理に対する見積もり額を特定する。修理センター３０が、携帯電話リモコン２０を経由して、空調機１０の修理に対する見積もり額を電話回線６０経由で携帯電話リモコン２０に送信する。携帯電話リモコン２０が、空調機１０の修理に対する見積もり額を、回線管理センター９０から、電話回線６０経由で受信する。
【０１５６】
したがって、空調機１０のユーザに見積もり額が迅速に提供される。その結果、空調機１０の故障が発生してから早期に、修理の依頼に関して要否がユーザにより決定される。
（１１）
ここでは、図１に示す回線管理センター９０が、携帯電話リモコン２０に電話回線６０を介して接続されており、携帯電話リモコン２０の使用者の個人情報と空調機１０の運転データとを携帯電話リモコン２０から電話回線６０経由で受信する。回線管理センター９０が、携帯電話リモコン２０の使用者の個人情報に基づき、携帯電話リモコン２０の使用者の連絡先を特定する。修理センター３０が、回線管理センター９０から、携帯電話リモコン２０の使用者の連絡先と空調機１０の運転データとを、電話回線６０経由で受信する。修理センター３０が、空調機１０の故障に関する連絡を受ける。修理センター３０が、空調機１０の修理において交換する部品を特定する。
【０１５７】
したがって、修理センター３０において、空調機１０の修理において交換する部品が迅速に発注される。その結果、迅速に修理への対応が行われる。
＜第１実施形態の変形例＞
（Ａ）携帯電話リモコン２０により遠隔操作されるのは、空調機１０でなくてもよい。例えば、家庭用マルチシステム・ヒートポンプ給湯器・ヒートポンプ床暖房システム・店舗又はオフィス用エアコン ・ビル用マルチシステム・スポットエアコン・中温用又は低温用エアコン・全熱交換器・空気清浄機・脱臭機・除湿機・加湿器・遠赤外線暖房機・ウォーターチリングユニット・スクリュー式冷凍機・ターボ冷凍機・吸収式冷凍機・エアハンドリングユニット・ファンコイルユニット・クーリングタワー・脱臭又は有機溶剤回収処理装置・ドライエアー供給装置・超高性能フッ素樹脂エアフィルター・海上コンテナ用冷凍装置・船舶用エアコン又は冷凍機・小口輸送用保冷コンテナ・デッキユニット・船舶用ウォーターチリングユニット・艦船用冷凍又は空調装置・大型スポットクーラーなどでもよく、リモコンで遠隔操作される機器であればどんな機器であってもよい。
【０１５８】
（Ｂ）無線回線７０は、赤外線以外の電磁波を用いた無線回線であってもよい。無線回線７０は、有線回線であってもよい。携帯電話リモコン２０は、携帯電話ではなく、通信機能付きのリモコンであってもよい。携帯電話リモコン２０が空調機１０から取得する空調機１０の運転状態の履歴は、空調機１０の故障３０分前からの運転状態の履歴でなくてもよい。すなわち、空調機１０の故障３０分よりも短い時間前からの運転状態の履歴でもいいし、空調機１０の故障３０分よりも長い時間前からの運転状態の履歴でもいい。
【０１５９】
（Ｃ）携帯電話リモコン２０から回線管理センター９０へ送信される情報は、携帯電話リモコン２０の使用者の電話番号の代わりに、携帯電話リモコン２０のアドレスであってもいいし、携帯電話リモコン２０のＩＤであってもいいし、携帯電話リモコン２０の使用者の住所・氏名であってもいいし、携帯電話リモコン２０の存在場所の経度・緯度であってもよい。携帯電話リモコン２０から修理センター３０へ送信される情報が携帯電話リモコン２０の使用者の住所・氏名である場合、回線管理センター９０は、顧客データベース９３を備えなくてもよい。携帯電話リモコン２０から回線管理センター９０へ送信される情報が携帯電話リモコン２０の存在場所の経度・緯度である場合、回線管理センター９０は、さらに地図情報を参照することにより、携帯電話リモコン２０の使用者の住所を特定することができる。
【０１６０】
（Ｄ）図１には携帯電話リモコン２０が宅内５０で操作される場合が示されているが、携帯電話リモコン２０は、宅外で操作されてもよい。この場合、無線回線７０は、赤外線でなく、より通信可能距離の長い無線回線が用いられる。あるいは、無線回線７０は、電話回線であってもよい。この場合、空調機１０に電話番号が割り当てられることになる。
（Ｅ）図１には報知部２１が液晶表示により報知する場合が示されているが、報知部２１は、他の方法により報知してもよい。例えば、ブザーによる報知のように人間の聴覚に訴えるものでもいいし、ＬＥＤ表示のように人間の視覚に訴えるものでもいいし、人間の味覚・触覚・嗅覚・知覚などに訴えるものでもいい。この場合でも、空調機１０の故障が携帯電話リモコン２０の使用者に報知されるので、空調機１０の故障の連絡に関する要否が携帯電話リモコン２０の入力部２２に入力される。
【０１６１】
（Ｆ）修理センター３０は、回線管理センター９０から、携帯電話リモコン２０の使用者の連絡先の情報を受信しなくてもよい。すなわち、修理センター３０は、回線管理センター９０から、空調機１０の運転データとその整理番号とを受信してもよい。この場合、回線管理センター９０は、携帯電話リモコン２０の使用者の連絡先の情報と空調機１０の運転データの整理番号との対応付けの情報を保持しており、回線管理センター９０から、空調機１０の修理に関する情報と空調機１０の運転データの整理番号とを受信することになる。したがって、空調機１０のユーザに空調機１０の修理に関する情報を迅速に提供することができる。このため、空調機１０の故障が発生してから早期に、修理の依頼に関して要否をユーザに決定してもらうことができる。なお、空調機１０の故障に関する連絡は、空調機１０の運転データの整理番号の代わりに、故障の整理番号のようなもので互いに区別されてもよいし、故障の整理番号のようなものを含まずに遠隔操作装置の使用者の個人情報や連絡先などで互いに区別されてもよい。
【０１６２】
（Ｇ）修理センター３０は、空調機１０の修理に関する情報を直接携帯電話リモコン２０へ送信してもよい。すなわち、図７に示すステップＳ９、ステップＳ１３及びステップＳ１６の少なくとも１つは、省略されてもよい。この場合でも、修理センター３０は、回線管理センター９０から、携帯電話リモコン２０の使用者の連絡先の情報を受信しているので、空調機１０のユーザに空調機１０の修理に関する情報を迅速に提供することができる。このため、空調機１０の故障が発生してから早期に、修理の依頼に関して要否をユーザに決定してもらうことができる。
【０１６３】
［第２実施形態］
本発明の第２実施形態に係る修理依頼システム１００の構成図を図１１に示す。また、本発明の第２実施形態に係る修理依頼システム１００の各構成要素の構成図を図１２に示す。ここに示す修理依頼システム１００は、主として空調機１０の修理を依頼するためのシステムである。
【０１６４】
＜修理依頼システム１００の全体構成＞
図１１に示すように、この修理依頼システム１００は、主として空調機１０と携帯電話リモコン２０と修理センター３０と無線回線７０と電話回線６０とを備える。空調機１０と携帯電話リモコン２０とは、無線回線７０を経由して通信する。携帯電話リモコン２０と修理センター３０とは、電話回線６０を経由して通信する。
【０１６５】
＜空調機１０の構成＞
図１２に示すように、空調機１０は、主として受信部１１と送信部１２と処理部１３と記憶部１４と冷媒回路１５とを備える。
受信部１１は、空調機１０の運転に関する命令を携帯電話リモコン２０から無線回線７０経由で受信する。受信部１１は、空調機１０の運転に関する命令を処理部１３に渡す。処理部１３は、空調機１０の運転に関する命令に対応して冷媒回路１５を動作又は停止させる。
【０１６６】
処理部１３は、空調機１０の運転状態の履歴を冷媒回路１５から定期的に取得して、記憶部１４に渡す。記憶部１４は、空調機１０の運転状態の履歴を記憶するだけでなく、空調機１０の機種コード番号を記憶している。また、記憶部１４は、故障発生時には、空調機１０の故障コード番号を記憶する。受信部１１は、空調機１０の機種コード番号と空調機１０の故障コード番号と空調機１０の故障３０分前からの運転状態の履歴とを取得したい旨の要求を、携帯電話リモコン２０から無線回線７０経由で受信する。受信部１１は、空調機１０の故障３０分前からの運転状態の履歴を取得したい旨の要求を処理部１３へ渡す。処理部１３は、空調機１０が故障しているか否かを判断する。空調機１０が故障していると判断した場合、処理部１３は、記憶部１４を参照して、空調機１０の機種コード番号と空調機１０の故障コード番号と空調機１０の故障３０分前からの運転状態の履歴とを取得する。処理部１３は、空調機１０の機種コード番号と空調機１０の故障コード番号と空調機１０の故障３０分前からの運転状態の履歴とを送信部１２へ渡す。送信部１２は、空調機１０の機種コード番号と空調機１０の故障コード番号と空調機１０の故障３０分前からの運転状態の履歴とを、無線回線７０経由で携帯電話リモコン２０へ送信する。
【０１６７】
＜携帯電話リモコン２０の構成＞
図１２に示すように、携帯電話リモコン２０は、主として入力部２２と処理部２５と報知部２１と機器送受信部２３と装置送受信部２４とを備える。
入力部２２では、空調機１０の運転に関する命令が入力される。処理部２５は、空調機１０の運転に関する命令を入力部２２から受け取り、機器送受信部２３へ渡す。機器送受信部２３は、空調機１０の運転に関する命令を無線回線７０経由で空調機１０に送信する。
【０１６８】
入力部２２では、空調機１０が故障している疑いがある場合、又は定期的に、故障診断したい旨の要求が入力される。処理部２５は、故障診断したい旨の要求を入力部２２から取得する。これにより、処理部２５は、空調機１０の機種コード番号と空調機１０の故障コード番号と空調機１０の故障３０分前からの運転状態の履歴とを取得したい旨の要求を機器送受信部２３に渡す。機器送受信部２３は、空調機１０の機種コード番号と空調機１０の故障コード番号と空調機１０の故障３０分前からの運転状態の履歴とを取得したい旨の要求を、無線回線７０経由で空調機１０に送信する。
【０１６９】
機器送受信部２３は、空調機１０の機種コード番号と空調機１０の故障コード番号と空調機１０の故障３０分前からの運転状態の履歴とを、無線回線７０経由で空調機１０から受信して、処理部２５に渡す。処理部２５は、空調機１０の故障コード番号を報知部２１に渡す。報知部２１は、空調機１０の故障コード番号を報知する。入力部２２では、空調機１０の故障コード番号を確認した旨が入力される。報知部２１は、空調機１０の故障を修理センター３０に連絡してよいか否かの問いを表示する。入力部２２では、空調機１０の故障の連絡に関して要否が入力される。空調機１０の故障の連絡が必要であると入力部２２に入力された場合は、空調機１０の故障の連絡が必要である旨が、入力部２２から処理部２５へ伝えられる。処理部２５は、空調機１０の機種コード番号と空調機１０の故障コード番号と空調機１０の故障３０分前からの運転状態の履歴とを、装置送受信部２４に渡す。装置送受信部２４は、空調機１０の機種コード番号と空調機１０の故障コード番号と空調機１０の故障３０分前からの運転状態の履歴と携帯電話リモコン２０の電話番号とを、電話回線６０経由で修理センター３０へ送信する。
【０１７０】
装置送受信部２４は、空調機１０の詳細な故障内容と空調機１０の修理が可能な日と空調機１０の故障に対する見積もり額とを、修理センター３０から電話回線６０経由で受信し、処理部２５へ渡す。処理部２５は、空調機１０の詳細な故障内容と空調機１０の修理が可能な日と空調機１０の故障に対する見積もり額とを、報知部２１へ渡す。報知部２１は、空調機１０の詳細な故障内容と空調機１０の修理が可能な日と空調機１０の故障に対する見積もり額とを、報知する。報知部２１は、空調機１０の修理を修理センター３０に依頼してよいか否かの問いを表示する。入力部２２では、空調機１０の修理の依頼に関して要否が入力される。空調機１０の修理の依頼に関する要否の情報が、入力部２２から処理部２５へ伝えられる。処理部２５は、空調機１０の修理の依頼に関する要否の情報を、装置送受信部２４に渡す。装置送受信部２４は、空調機１０の修理の依頼に関する要否の情報と修理希望日の情報とを、電話回線６０経由で修理センター３０へ送信する。
【０１７１】
＜修理センター３０の構成＞
図１２に示すように、修理センター３０は、主として送受信部３１と特定部１３２と顧客データベース１３３と故障データベース３４とを備える。
送受信部３１は、空調機１０の機種コード番号と空調機１０の故障コード番号と空調機１０の故障３０分前からの運転状態の履歴と携帯電話リモコン２０の電話番号とを、電話回線６０経由で携帯電話リモコン２０から受信し、特定部１３２へ渡す。特定部１３２は、顧客データベース１３３を参照し、携帯電話リモコン２０の電話番号から、携帯電話リモコン２０の使用者の住所と氏名とを特定する。また、特定部１３２は、故障データベース３４を参照し、空調機１０の機種コード番号と空調機１０の故障コード番号とから、空調機１０の故障内容を特定する。さらに、特定部１３２は、空調機１０の故障内容と空調機１０の故障３０分前からの運転状態の履歴とから、空調機１０の故障内容を詳細に特定する。特定部１３２は、空調機１０の詳細な故障内容に基づき、空調機１０の修理が可能な日と空調機１０の故障に対する見積もり額と空調機１０の修理において交換する部品とを、特定する。特定部１３２は、空調機１０の修理において交換する部品の在庫を確認し、部品の在庫がなければ発注をかける。送受信部３１は、空調機１０の詳細な故障内容と空調機１０の修理が可能な日と空調機１０の故障に対する見積もり額とを、特定部１３２から取得し、電話回線６０経由でリモコンに送信する。
【０１７２】
送受信部３１は、空調機１０の修理の依頼に関する要否の情報と修理希望日の情報とを、電話回線６０経由でリモコン６０から受信する。
＜無線回線７０の構成＞
図１１，図１２に示すように、無線回線７０は、空調機１０と携帯電話リモコン２０との間における通信を媒介する。無線回線７０は、赤外線を用いた通信回線である。
【０１７３】
＜電話回線６０の構成＞
図１１に示すように、電話回線６０は、主として携帯電話回線６０ａと固定電話回線６０ｂと携帯電話基地局６０ｃとを備える。携帯電話リモコン２０から発せられた電波は、携帯電話回線６０ａを経由して携帯電話基地局６０ｃで受信され、固定電話回線６０ｂへ転送され、固定電話回線６０ｂ経由で修理センター３０に受信される。
【０１７４】
＜冷媒回路１５の構成＞
図３に示すように、冷媒回路１５は、主として圧縮機１５１と四路切換弁１５２と室外熱交換器１５３と膨張弁１５４と室内熱交換器１５５とアキュムレータ１５６とプロペラファン１５７とクロスフローファン１５８と室外吸い込み温度センサー４０１と室外吹き出し温度センサー４０２と室内吸い込み温度センサー４０３と室内吹き出し温度センサー４０４と高圧圧力センサー４０５と低圧圧力センサー４０６とを備える。四路切換弁１５２は、圧縮機１５１の吐出側に接続されている。アキュムレータ１５６は、圧縮機１５１の吸引側に接続され、圧縮機１５１に液状の冷媒が混入するのを防止する。室外吸い込み温度センサー４０１は、室外熱交換器１５３に吸い込まれた室外空気８１の温度を測定する。室外吹き出し温度センサー４０２は、室外熱交換器１５３から吹き出された室外空気８２の温度を測定する。室内吸い込み温度センサー４０３は、室内熱交換器１５５に吸い込まれた室内空気８３の温度を測定する。室内吹き出し温度センサー４０４は、室内熱交換器１５５に吸い込まれた室内空気８４の温度を測定する。高圧圧力センサー４０５は、圧縮機１５１から吐出された冷媒の圧力を測定する。低圧圧力センサー４０６は、圧縮機１５１に吸い込まれた冷媒の圧力を測定する。
【０１７５】
冷房運転時には、四路切換弁１５２を図３の実線の位置とし、膨張弁１５４を所定の開度に絞り、圧縮機１５１を起動する。圧縮機１５１から吐出される高圧冷媒は、室外熱交換器１５３で凝縮する際に、プロペラファン１５７により送られた室外空気８１に熱を与え、この熱を与えられた室外空気８２は暖気となる。熱を放出した高圧冷媒は、膨張弁１５４で減圧される。減圧された低圧冷媒は、室内熱交換器１５５で冷媒が蒸発する際に、クロスフローファン１５８により送られた室内空気８３の熱を奪い、この熱を奪われた室内空気８４が室内を冷房する。熱を吸収した低圧冷媒は、四路切換弁１５２，アキュムレータ１５６を介して圧縮機１５１に戻る。
【０１７６】
暖房運転時には、四路切換弁１５２を図３の破線の位置とし、膨張弁１５４を所定の開度に絞り、圧縮機１５１を起動する。圧縮機１５１から吐出される高圧冷媒は、室内熱交換器１５５で凝縮する際に、クロスフローファン１５８により送られた室内空気８３に熱を与え、この熱を与えられた室内空気８４が室内を暖房する。熱を放出した高圧冷媒は、膨張弁１５４で減圧される。減圧された低圧冷媒は、室外熱交換器１５３で冷媒が蒸発する際に、プロペラファン１５７により送られた室外空気８１の熱を奪い、この熱を奪われた室外空気８２が冷気となる。熱を吸収した低圧冷媒は、四路切換弁１５２，アキュムレータ１５６を介して圧縮機１５１に戻る。
【０１７７】
＜顧客データベース１３３の構成＞
図１３に示すように、顧客データベース１３３は、主として電話番号欄３３１と氏名欄３３２と住所欄３３３とを備える。
図１２に示す修理センター３０の特定部１３２は、図１３に示す顧客データベース１３３の電話番号欄３３１を参照し、図１１，図１２に示す携帯電話リモコン２０の電話番号に対応した氏名・住所を、図１３に示す顧客データベース１３３の氏名欄３３２と住所欄３３３とから特定する。
【０１７８】
＜故障データベース３４の構成＞
図１４に示すように、故障データベース３４は、主として機種コード欄３４１と故障コード欄３４２と故障内容欄３４３とを備える。
図１２に示す修理センター３０の特定部１３２は、図１３に示す故障データベース３４の機種コード欄３４１と故障コード欄３４２とを参照し、図１１，図１２に示す空調機１０の機種コード欄３４１と故障コード欄３４２とに対応した故障内容を、図１３に示す故障データベース３４の故障内容欄３４３から特定する。
【０１７９】
＜修理依頼システム１００が空調機１０の故障に対応する処理の流れ＞
図１１の修理依頼システム１００が空調機１０の故障に対応する処理の流れを、図１５及び図１６に示すフローチャートを用いて説明する。
図１５に示すステップＳ１では、図１１に示す携帯電話リモコン２０が操作される。すなわち、図１２に示す携帯電話リモコン２０の入力部２２に、故障診断したい旨の要求が入力される。故障診断したい旨の要求が、入力部２２から処理部２５へ渡される。これにより、空調機１０の機種コード番号と空調機１０の故障コード番号と空調機１０の故障３０分前からの運転状態の履歴とを取得したい旨の要求が、処理部２５から機器送受信部２３へ渡され、無線回線７０経由で空調機１０へ送信される。空調機１０の機種コード番号と空調機１０の故障コード番号と空調機１０の故障３０分前からの運転状態の履歴とを取得したい旨の要求が、携帯電話リモコン２０から無線回線７０経由で受信部１１により受信される。空調機１０の故障３０分前からの運転状態の履歴を取得したい旨の要求が受信部１１により処理部１３へ渡される。
【０１８０】
図１５に示すステップＳ２では、図１１に示す空調機１０が故障しているか否かが図１２に示す処理部１３により判断される。図１１に示す空調機１０が故障していると判断された場合は、図１５に示すステップＳ３へ進められ、図１１に示す空調機１０が故障していないと判断された場合は、処理が終了される（図１５，図１６で示す2)）。
【０１８１】
図１５に示すステップＳ３では、図１１に示す空調機１０の故障が報知される。すなわち、図１２に示す携帯電話リモコン２０の処理部１３により、記憶部１４が参照され、空調機１０の機種コード番号と空調機１０の故障コード番号と空調機１０の故障３０分前からの運転状態の履歴とが取得される。処理部１３により、空調機１０の機種コード番号と空調機１０の故障コード番号と空調機１０の故障３０分前からの運転状態の履歴とが送信部１２へ渡される。送信部１２により、空調機１０の機種コード番号と空調機１０の故障コード番号と空調機１０の故障３０分前からの運転状態の履歴とが、無線回線７０経由で携帯電話リモコン２０へ送信される。機器送受信部２３により、空調機１０の機種コード番号と空調機１０の故障コード番号と空調機１０の故障３０分前からの運転状態の履歴とが、無線回線７０経由で空調機１０から受信され、処理部２５に渡される。処理部２５により、空調機１０の故障コード番号が報知部２１に渡される。報知部２１により、空調機１０の故障コード番号が報知される。入力部２２では、空調機１０の故障コード番号を確認した旨が入力される。報知部２１により、空調機１０の故障を修理センター３０に連絡してよいか否かの問いが表示される。
【０１８２】
図１５に示すステップＳ４では、図１１に示す空調機１０の故障を修理センター３０へ連絡してよいか否かが判断される。修理センター３０へ連絡してよいと判断された場合は、図１２に示す入力部２２に空調機１０の修理の連絡が必要である旨が入力され、図１５に示すステップＳ５へ進められる。図１１に示す修理センター３０へ連絡しなくてよいと判断された場合は、図１２に示す入力部２２に空調機１０の修理の連絡が必要でない旨が入力され、処理が終了される（図１５，図１６で示す2)）。
【０１８３】
図１５に示すステップＳ２１では、図１１に示す空調機１０の故障が修理センター３０へ連絡される。すなわち、空調機１０の修理の連絡が必要である旨が、入力部２２から処理部２５へ伝えられる。処理部２５により、空調機１０の機種コード番号と空調機１０の故障コード番号と空調機１０の故障３０分前からの運転状態の履歴とが、装置送受信部２４に渡される。装置送受信部２４により、空調機１０の機種コード番号と空調機１０の故障コード番号と空調機１０の故障３０分前からの運転状態の履歴と携帯電話リモコン２０の電話番号とが、電話回線６０経由で修理センター３０へ送信される。
【０１８４】
図１５に示すステップＳ２２では、図１１に示す空調機１０の修理に関する情報が特定される。すなわち、図１２に示す修理センター３０の送受信部３１により、空調機１０の機種コード番号と空調機１０の故障コード番号と空調機１０の故障３０分前からの運転状態の履歴と携帯電話リモコン２０の電話番号とが、電話回線６０経由で携帯電話リモコン２０から受信され、特定部１３２へ渡される。特定部１３２により、顧客データベース１３３が参照され、携帯電話リモコン２０の電話番号から、携帯電話リモコン２０の使用者の住所と氏名とが特定される。また、特定部１３２により、故障データベース３４が参照され、空調機１０の機種コード番号と空調機１０の故障コード番号とから、空調機１０の故障内容が特定される。さらに、特定部１３２により、空調機１０の故障内容と空調機１０の故障３０分前からの運転状態の履歴とから、空調機１０の故障内容が詳細に特定される。特定部１３２により、空調機１０の詳細な故障内容に基づき、空調機１０の修理が可能な日と空調機１０の故障に対する見積もり額と空調機１０の修理において交換する部品とが、特定される。特定部１３２により、空調機１０の修理において交換する部品の在庫が確認され、部品の在庫がなければ発注がかけられる（図１５，図１６で示す1)）。
【０１８５】
図１６に示すステップＳ１０では、図１１に示す空調機１０の修理に関する情報が携帯電話リモコン２０に受信される。すなわち、図１２に示す修理センター３０の送受信部３１により、空調機１０の詳細な故障内容と空調機１０の修理が可能な日と空調機１０の故障に対する見積もり額とが、特定部１３２から取得され、電話回線６０経由でリモコンに送信される。携帯電話リモコン２０の装置送受信部２４により、空調機１０の詳細な故障内容と空調機１０の修理が可能な日と空調機１０の故障に対する見積もり額とが、修理センター３０から電話回線６０経由で受信され、処理部２５へ渡される。処理部２５により、空調機１０の詳細な故障内容と空調機１０の修理が可能な日と空調機１０の故障に対する見積もり額とが、報知部２１へ渡される。報知部２１により、空調機１０の詳細な故障内容と空調機１０の修理が可能な日と空調機１０の故障に対する見積もり額とが、報知される。報知部２１により、空調機１０の修理を修理センター３０に依頼してよいか否かの問いが表示される。
【０１８６】
図１６に示すステップＳ１１では、図１１に示す空調機１０の故障の修理を依頼すべきであるか否かが判断される。図１１に示す空調機１０の故障の修理を依頼すべきであると判断された場合は、図１２に示す入力部２２に空調機１０の故障の修理を依頼する旨と修理希望日とが入力され、図１６に示すステップＳ９へ進められる。図１１に示す空調機１０の故障の修理を依頼すべきでないと判断された場合は、図１２に示す入力部２２に空調機１０の故障の修理を依頼しない旨が入力され、図１６に示すステップＳ１１へ進められる。
【０１８７】
図１６に示すステップＳ２３では、図１１に示す空調機１０の故障の修理を依頼する旨の情報と修理希望日の情報とが修理センター３０へ送信される。すなわち、図１２に示す空調機１０の修理を依頼する旨の情報と修理希望日の情報とが、携帯電話リモコン２０の入力部２２から処理部２５へ伝えられる。処理部２５により、空調機１０の修理を依頼する旨の情報と修理希望日の情報とが、装置送受信部２４に渡される。装置送受信部２４により、空調機１０の修理を依頼する旨の情報と修理希望日の情報とが、電話回線６０経由で修理センター３０へ送信される。修理センター３０の送受信部３１により、空調機１０の修理を依頼する旨の情報と修理希望日の情報とが、電話回線６０経由でリモコン６０から受信される。
【０１８８】
図１６に示すステップＳ１４では、図１に示す空調機１０の故障の修理への対応が行われる。すなわち、図２に示す送受信部３１により、空調機１０の修理の依頼に関する要否の情報と修理希望日の情報とが、電話回線６０経由で回線管理センター９０から受信される。空調機１０の修理を依頼する旨の情報と修理希望日の情報とが、サービスマンに伝えられる。サービスマンが、修理希望日に、携帯電話リモコン２０の使用者の住所として特定された場所へ派遣され、空調機１０の修理が行われる。
【０１８９】
図１６に示すステップＳ２４では、図１１に示す空調機１０の故障の修理を依頼しない旨の情報が修理センター３０へ送信される。すなわち、図１２に示す空調機１０の修理を依頼しない旨の情報が、携帯電話リモコン２０の入力部２２から処理部２５へ伝えられる。処理部２５により、空調機１０の修理を依頼しない旨の情報が、装置送受信部２４に渡される。装置送受信部２４により、空調機１０の修理を依頼しない旨の情報が、電話回線６０経由で修理センター３０へ送信される。修理センター３０の送受信部３１により、空調機１０の修理を依頼しない旨の情報が、電話回線６０経由でリモコン６０から受信される。
【０１９０】
図７に示すステップＳ１７では、図１に示す空調機１０の修理において交換する部品の発注がキャンセルされる。すなわち、図２に示す送受信部３１により、図１に示す空調機１０の故障の修理を依頼しない旨の情報が、電話回線６０経由で回線管理センター９０から受信される。図１に示す空調機１０の故障の修理を依頼しない旨の情報に基づき、図１に示す空調機１０の修理において交換する部品の発注がキャンセルされる。図１に示す空調機１０の修理において交換する部品が発注されていない場合は、特に何も行われない。
【０１９１】
＜図１１に示す空調機１０の修理に関する情報が特定される処理の流れ＞
図１５に示すステップＳ２２において、図１１に示す空調機１０の修理に関する情報が特定される処理の流れの一例を、図８に示すグラフを用いて説明する。
図１１に示す空調機１０の機種コード番号がＳＨＹＣＰ８０Ｄであり、空調機１０の故障コード番号がＥ３とＥ４とである場合を説明する。図１２に示す特定部１３２により、図１４に示す顧客データベース１３３が参照され、機種コード番号がＳＨＹＣＰ８０Ｄで故障コード番号がＥ３である故障内容が高圧圧力異常であると特定される。機種コード番号がＳＨＹＣＰ８０Ｄで故障コード番号がＥ４である故障内容が低圧圧力異常であると特定される。これにより、高圧圧力異常と低圧圧力異常とが発生していると予想される。
【０１９２】
図１１に示す空調機１０の故障３０分前からの運転状態の履歴が図８に示すグラフのようになる場合を説明する。図３に示す室外吸い込み温度センサー４０１の測定結果が図８（ａ）で示され、図３に示す室外吹き出し温度センサー４０２の測定結果が図８（ｂ）で示され、図３に示す低圧圧力センサー４０６の測定結果が図８（ｃ）で示され、図３に示す高圧圧力センサー４０５の測定結果が図８（ｄ）で示される。図８（ａ）に示すように、図３に示す室外熱交換器１５３に吸い込まれた室外空気８１の温度は、一定であり特に異常がないことが分かる。図８（ｂ）に示すように、図３に示す室外熱交換器１５３から吹き出された室外空気８２の温度は、図８に示す時刻ｔ１に対応する点Ｐ１から上昇し始めていることが分かる。図８（ｃ）に示すように、図３に示す圧縮機１５１から吐出される冷媒の圧力は、図８に示す時刻ｔ１よりも後の時刻から上昇し始め、時刻ｔ２に対応する点Ｐ２において高圧圧力のスペックＳＰ２を外れていることが分かる。図８（ｄ）に示すように、図３に示す圧縮機１５１に吸い込まれる冷媒の圧力は、図８に示す時刻ｔ２よりも後の時刻から上昇し始め、時刻ｔ３に対応する点Ｐ３において低圧圧力のスペックＳＰ３を外れていることが分かる。
【０１９３】
図８（ａ）〜（ｄ）を分析すると、次のようになる。図３に示す冷媒回路１５において、室外熱交換器１５３において図８に示す時刻ｔ１から熱交換が充分に行われなり始める。そのため、図３に示す室外熱交換器１５３において気体の冷媒が凝縮しにくくなり、室外熱交換器１５３において気体の冷媒の割合が多くなる。その結果、凝縮後の液体の冷媒の圧力が図８に示す時刻ｔ１よりも後の時刻から上昇し始め、時刻ｔ２においてスペックよりも高い圧力となる。そして、図３に示す膨張弁１５４で減圧されるが、液体の冷媒の圧力が高めである。これにより、室内熱交換器１５５において液体の冷媒が蒸発しにくくなり、室内熱交換器１５５において気体の冷媒の割合が少なくなる。その結果、蒸発後の気体の冷媒は、圧力が低くなる傾向にはあるが、圧力が高くなっているため、全体として図８に示す時刻ｔ２よりも後の時刻から圧力が上昇し始める。そして、蒸発後の気体の冷媒は、時刻ｔ３においてスペックよりも高い圧力となる。したがって、故障内容である高圧圧力異常と低圧圧力異常とが発生していることが確認されるとともに、故障の原因が図３に示す室外熱交換器１５３において熱交換が充分に行われていることが分かる。すなわち、プロペラファン１５７が充分に回転していないことが予測される。したがって、故障内容が詳細に特定される。また、プロペラファン１５７を回転させるためのモータの交換が必要であると予測される。プロペラファン１５７を回転させるためのモータの在庫がない場合は、発注がかけられる。
【０１９４】
＜報知部２１の動作＞
図１６に示すステップＳ１０における図１２に示す報知部２１の動作の一例を、図９，図１０に示す概念図を用いて説明する。報知部２１により、空調機１０の詳細な故障内容だけでなく、空調機１０の修理が可能な日と空調機１０の故障に対する見積もり額とが、報知される。
【０１９５】
空調機１０の修理が可能な日は、図９に示すように報知される。図９には、図１１に示す空調機１０の故障について修理センター３０へ連絡されたのが２００３年７月７日である場合を示している。空調機１０の修理において交換する部品の発注がかけられてから修理センター３０に納品されるまで３日間かかるとすると、その部品が修理センター３０に届くのは７月１０日となる。そして、サービスマンの予定も考慮した結果、修理可能日は、図９に示す斜線で示した日となる。すなわち、７月１１日、７月１５日、７月１７日、７月２３日、７月２４日、７月２８日である。
【０１９６】
空調機１０の故障に対する見積もり額は、図９に示すように報知される。図９には、プロペラファン１５７を回転させるためのモータの部品代が１万円であり、修理の作業費が３万円である場合を示している。この場合、合計の見積もり額は、４万円となる。
＜修理依頼システム１００に関する特徴＞
（１）
ここでは、図１２に示す携帯電話リモコン２０は、空調機１０を無線回線７０経由で遠隔操作する。携帯電話リモコン２０は、空調機１０の機種コード番号と空調機１０の故障コード番号と空調機１０の故障３０分前からの運転状態の履歴とを取得したい旨の要求を、無線回線７０経由で空調機１０に送信する。携帯電話リモコン２０は、空調機１０の機種コード番号と空調機１０の故障コード番号と空調機１０の故障３０分前からの運転状態の履歴とを、無線回線７０経由で空調機１０から受信する。修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。修理センター３０は、顧客データベース１３３を参照し、携帯電話リモコン２０の使用者の電話番号から、携帯電話リモコン２０の使用者の住所・氏名を特定する。修理センター３０は、故障データベース３４を参照し、空調機１０の機種コード番号と空調機１０の故障コード番号と空調機１０の故障３０分前からの運転状態の履歴とから、空調機１０の故障内容を特定する。
【０１９７】
したがって、修理センター３０は、携帯電話リモコン２０の使用者の電話番号から携帯電話リモコン２０の使用者の住所・氏名を特定するので、空調機１０の修理に関する訪問先が特定される。修理センター３０は、空調機１０の機種コード番号と空調機１０の故障コード番号と空調機１０の故障３０分前からの運転状態の履歴とから、空調機１０の故障内容を特定するので、空調機１０の修理の内容が特定される。その結果、迅速に修理への対応がなされる。
【０１９８】
（２）
ここでは、図１２に示す携帯電話リモコン２０は、空調機１０を無線回線７０経由で遠隔操作する。携帯電話リモコン２０は、空調機１０の機種コード番号と空調機１０の故障コード番号と空調機１０の故障３０分前からの運転状態の履歴とを取得したい旨の要求を、無線回線７０経由で空調機１０に送信する。携帯電話リモコン２０は、空調機１０の機種コード番号と空調機１０の故障コード番号と空調機１０の故障３０分前からの運転状態の履歴とを、無線回線７０経由で空調機１０から受信する。携帯電話リモコン２０の報知部２１は、空調機１０の故障コード番号を報知する。携帯電話リモコン２０の入力部２２では、空調機１０の修理の連絡に関して要否が入力される。修理センター３０は、携帯電話リモコン２０に電話回線６０を介して接続されており、空調機１０の修理の連絡をする旨が入力部２２に入力された場合、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。
【０１９９】
したがって、携帯電話リモコン２０は、空調機１０の故障の連絡に関する要否に応じて、修理センター３０へ空調機１０の故障に関して連絡する。その結果、携帯電話リモコン２０の使用者の意思に基づいて、修理への対応がなされる。
（３）
ここでは、図１２に示す空調機１０から携帯電話リモコン２０へ提供される情報は、空調機１０の機種コード番号と空調機１０の故障コード番号とを含む。修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。
【０２００】
したがって、修理センター３０は、故障データベース３４を参照し、空調機１０の機種コード番号と空調機１０の故障コード番号とに基づいて、空調機１０の故障状態を容易に特定する。その結果、空調機１０の修理内容が容易に特定される。
（４）
ここでは、図１２に示す空調機１０から携帯電話リモコン２０へ提供される情報は、空調機１０の故障３０分前からの運転状態の履歴を含む。修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。
【０２０１】
したがって、修理センター３０は、空調機１０の故障３０分前からの運転状態の履歴に基づいて、空調機１０の故障状態を詳細に特定する。その結果、空調機１０の修理内容が詳細に特定される。
（５）
ここでは、図１２に示す携帯電話リモコン２０と修理センター３０とを接続する通信回線は、電話回線６０である。携帯電話リモコン２０は、空調機１０の機種コード番号と空調機１０の故障コード番号と空調機１０の故障３０分前からの運転状態の履歴とを、無線回線７０経由で空調機１０から受信する。修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。
【０２０２】
したがって、既存の電話回線を用いて修理依頼システム１００が構成される。このため、修理依頼システム１００が低コストで構成される。
（６）
ここでは、図１２に示す携帯電話リモコン２０は、携帯電話である。携帯電話リモコン２０は、空調機１０を無線回線７０経由で遠隔操作する。携帯電話リモコン２０は、空調機１０の機種コード番号と空調機１０の故障コード番号と空調機１０の故障３０分前からの運転状態の履歴とを取得したい旨の要求を、無線回線７０経由で空調機１０に送信する。携帯電話リモコン２０は、空調機１０の機種コード番号と空調機１０の故障コード番号と空調機１０の故障３０分前からの運転状態の履歴とを、無線回線７０経由で空調機１０から受信する。修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。
【０２０３】
したがって、既存の携帯電話を用いて修理依頼システム１００が構成される。このため、修理依頼システム１００が低コストで構成される。
（７）
ここでは、図１２に示す携帯電話リモコン２０は、空調機１０を無線回線７０経由で遠隔操作する。携帯電話リモコン２０は、空調機１０の機種コード番号と空調機１０の故障コード番号と空調機１０の故障３０分前からの運転状態の履歴とを取得したい旨の要求を、無線回線７０経由で空調機１０に送信する。携帯電話リモコン２０は、空調機１０の機種コード番号と空調機１０の故障コード番号と空調機１０の故障３０分前からの運転状態の履歴とを、無線回線７０経由で空調機１０から受信する。修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。修理センター３０は、携帯電話リモコン２０の使用者の電話番号から空調機１０の修理に関する訪問先を特定する。修理センター３０は、空調機１０の修理に関する情報を特定する。携帯電話リモコン２０は、電話回線６０を経由して、修理センター３０から空調機１０の修理に関する情報を受信する。
【０２０４】
したがって、空調機１０のユーザに空調機１０の修理に関する情報が迅速に提供される。このため、空調機１０の故障が発生してから早期に、修理の依頼に関して要否がユーザにより決定される。
（８）
ここでは、図１２に示す携帯電話リモコン２０は、空調機１０を無線回線７０経由で遠隔操作する。携帯電話リモコン２０は、空調機１０の機種コード番号と空調機１０の故障コード番号と空調機１０の故障３０分前からの運転状態の履歴とを取得したい旨の要求を、無線回線７０経由で空調機１０に送信する。携帯電話リモコン２０は、空調機１０の機種コード番号と空調機１０の故障コード番号と空調機１０の故障３０分前からの運転状態の履歴とを、無線回線７０経由で空調機１０から受信する。修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。修理センター３０は、携帯電話リモコン２０の使用者の電話番号から空調機１０の修理に関する訪問先を特定する。修理センター３０は、空調機１０の修理に関する情報を特定する。携帯電話リモコン２０は、電話回線６０を経由して、修理センター３０から空調機１０の修理に関する情報を受信する。携帯電話リモコン２０の報知部２１は、空調機１０の修理に関する情報を報知する。携帯電話リモコン２０の入力部２２では、空調機１０の修理の依頼に関して要否が入力される。
【０２０５】
したがって、携帯電話リモコン２０は、空調機１０の修理の依頼に関する要否に応じて、修理センター３０へ空調機１０の修理を依頼する。その結果、携帯電話リモコン２０の使用者の意思に基づいて、修理への対応が行われる。
（９）
ここでは、図１２に示す修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。修理センター３０は、空調機１０の修理が可能な日を特定する。携帯電話リモコン２０は、空調機１０の修理が可能な日を修理センター３０から電話回線６０経由で受信する。
【０２０６】
したがって、空調機１０の修理が可能な日が迅速にユーザに知らせられる。その結果、空調機１０の故障が発生してから早期に、空調機１０を修理する日がユーザにより決定される。
（１０）
ここでは、図１２に示す修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。修理センター３０は、空調機１０の修理に対する見積もり額を特定する。携帯電話リモコン２０は、空調機１０の修理に対する見積もり額を修理センター３０から電話回線６０経由で受信する。
【０２０７】
したがって、空調機１０のユーザに見積もり額が迅速に提供される。その結果、空調機１０の故障が発生してから早期に、修理の依頼に関する要否がユーザにより決定される。
（１１）
ここでは、図１２に示す修理センター３０は、携帯電話リモコン２０に電話回線６０を介して接続されており、携帯電話リモコン２０の使用者の電話番号と空調機１０の機種コード番号と空調機１０の故障コード番号と空調機１０の故障３０分前からの運転状態の履歴とを、携帯電話リモコン２０から電話回線６０経由で受信する。修理センター３０は、空調機１０の故障に関する連絡を受ける。修理センター３０は、空調機１０の修理において交換する部品を特定する。
【０２０８】
したがって、修理センター３０は、空調機１０の修理において交換する部品が迅速に発注される。その結果、迅速に修理への対応が行われる。
＜第２実施形態の変形例＞
（Ａ）図１２に示す携帯電話リモコン２０により遠隔操作されるのは、空調機１０でなくてもよい。例えば、家庭用マルチシステム・ヒートポンプ給湯器・ヒートポンプ床暖房システム・店舗又はオフィス用エアコン ・ビル用マルチシステム・スポットエアコン・中温用又は低温用エアコン・全熱交換器・空気清浄機・脱臭機・除湿機・加湿器・遠赤外線暖房機・ウォーターチリングユニット・スクリュー式冷凍機・ターボ冷凍機・吸収式冷凍機・エアハンドリングユニット・ファンコイルユニット・クーリングタワー・脱臭又は有機溶剤回収処理装置・ドライエアー供給装置・超高性能フッ素樹脂エアフィルター・海上コンテナ用冷凍装置・船舶用エアコン又は冷凍機・小口輸送用保冷コンテナ・デッキユニット・船舶用ウォーターチリングユニット・艦船用冷凍又は空調装置・大型スポットクーラーなどでもよく、リモコンで遠隔操作される機器であればどんな機器であってもよい。
（Ｂ）図１２に示す無線回線７０は、赤外線以外の電磁波を用いた無線回線であってもよい。無線回線７０は、有線回線であってもよい。この場合、携帯電話リモコン２０により空調機１０が遠隔操作されるときのみ、有線回線が携帯電話リモコン２０に接続されることになる。携帯電話リモコン２０は、携帯電話ではなく、通信機能付きのリモコンであってもよい。携帯電話リモコン２０が空調機１０から取得する空調機１０の運転状態の履歴は、空調機１０の故障３０分前からの運転状態の履歴でなくてもよい。すなわち、空調機１０の故障３０分よりも短い時間前からの運転状態の履歴でもいいし、空調機１０の故障３０分よりも長い時間前からの運転状態の履歴でもいい。
（Ｃ）図１２に示す携帯電話リモコン２０から修理センター３０へ送信される情報は、携帯電話リモコン２０の使用者の電話番号の代わりに、携帯電話リモコン２０のアドレスであってもいいし、携帯電話リモコン２０のＩＤであってもいいし、携帯電話リモコン２０の使用者の住所・氏名であってもいいし、携帯電話リモコン２０の存在場所の経度・緯度であってもよい。携帯電話リモコン２０から修理センター３０へ送信される情報が携帯電話リモコン２０の使用者の住所・氏名である場合、修理センター３０は、顧客データベース１３３を備えなくてもよい。携帯電話リモコン２０から修理センター３０へ送信される情報が携帯電話リモコン２０の存在場所の経度・緯度である場合、修理センター３０は、さらに地図情報を参照することにより、携帯電話リモコン２０の使用者の住所を特定することができる。
（Ｄ）図１１には携帯電話リモコン２０が宅内５０で操作される場合が示されているが、携帯電話リモコン２０は、宅外で操作されてもよい。この場合、無線回線７０は、赤外線でなく、より通信可能距離の長い無線回線が用いられる。あるいは、無線回線７０は、電話回線であってもよい。この場合、空調機１０に電話番号が割り当てられることになる。
（Ｅ）図１１には報知部２１が液晶表示により報知する場合が示されているが、報知部２１は、他の方法により報知してもよい。例えば、ブザーによる報知のように人間の聴覚に訴えるものでもいいし、ＬＥＤ表示のように人間の視覚に訴えるものでもいいし、人間の味覚・触覚・嗅覚・知覚などに訴えるものでもいい。この場合でも、空調機１０の故障が携帯電話リモコン２０の使用者に報知されるので、空調機１０の故障の連絡に関する要否が携帯電話リモコン２０の入力部２２に入力される。
【０２０９】
［第３実施形態］
本発明の第３実施形態に係る修理依頼システム２００を図１７に示す。また、修理依頼システム２００の各構成要素の構成図を図１８に示す。図１７，図１８において、図１，図２の修理依頼システム１の構成要素と同様の構成要素は同じ番号で示してある。ここに示す修理依頼システム２００は、主として空調機１０の修理を依頼するためのシステムである。
【０２１０】
この修理依頼システム２００は、基本的な構造は第１実施形態と同様であり各構成要素は図２と同様であるが、修理依頼システム２００が空調機１０の故障に対応する処理の流れが第１実施形態と異なる。すなわち、修理センター３０が携帯電話リモコン２０から直接空調機１０の故障の連絡を受ける場合の処理の流れが示される。
具体的には、修理依頼システム２００が空調機１０の故障に対応する処理の流れは、図１８，図１９のフローチャートに示すように、次の点で第１実施形態と異なる。なお、図１８，図１９において、図６，図７に示す第１実施形態と同様の処理は、同じ番号で示してある。
【０２１１】
図１８に示すステップＳ３１では、図１７に示す回線管理センター９０への問い合わせが行われる。すなわち、回線管理センター９０により、携帯電話リモコン２０の使用者の電話番号と、携帯電話リモコン２０の使用者の電話番号に対応する第２通信回線の利用者の連絡先を問い合わせる要求とが、電話回線６０経由で修理センター３０から受信される。
【０２１２】
図１８に示すステップＳ３２では、図１７に示す図２に示す回線管理センター９０の送受信部９１により、携帯電話リモコン２０の使用者の電話番号と、携帯電話リモコン２０の使用者の電話番号に対応する第２通信回線の利用者の連絡先を問い合わせる要求とが、電話回線６０経由で修理センター３０から受信され、特定部９２へ渡される。特定部９２により、顧客データベース９３が参照され、携帯電話リモコン２０の電話番号から、携帯電話リモコン２０の使用者の住所と氏名とが特定される。
【０２１３】
回線管理センター９０で個人情報に対応する連絡先が特定され、修理センター３０で空調機１０の運転データが受信されるので、修理の訪問先及び修理内容を迅速に特定することができる点は、第１実施形態と同様である。したがって、このような修理依頼システム２００によっても、迅速に修理への対応がなされる。
＜第３実施形態の変形例＞
（Ａ）回線管理センター９０により特定され修理センター３０に送信される情報は、電話回線６０の利用者の住所・氏名の代わりに、電話回線６０の利用者の存在場所の経度・緯度であってもよい。
【０２１４】
［第４実施形態］
本発明の第４実施形態に係る修理依頼システム３００を図２０に示す。図２０において、図１の修理依頼システム１の構成要素と同様の構成要素は同じ番号で示してある。ここに示す修理依頼システム３００は、主として空調機１０の修理を依頼するためのシステムである。
【０２１５】
この修理依頼システム３００は、基本的な構造は第１実施形態と同様であり各構成要素は図２と同様であるが、電話回線６０の代わりにインターネット回線２６０が備えられている点で構成が異なる。すなわち、インターネット回線２６０は、主として無線ＬＡＮ回線２６０ａとＷＡＮ回線２６０ｂとモデム２６０ｃとを備える。また、携帯電話リモコン２２０は、インターネット回線２６０に対応したものである。したがって、既存のインターネット回線を用いて修理依頼システム３００が構成される。このため、修理依頼システム２００が低コストで構成される。
【０２１６】
回線管理センター９０で個人情報に対応する連絡先が特定され、修理センター３０で空調機１０の運転データが受信されるので、修理の訪問先及び修理内容を迅速に特定することができる点は、第１実施形態と同様である。したがって、このような修理依頼システム２００によっても、迅速に修理への対応がなされる。
＜第４実施形態の変形例＞
（Ａ）インターネット回線２６０は、図１１に示す電話回線６０を経由したものであってもよい。
【０２１７】
（Ｂ）回線管理センター９０は、なくてもよい。この場合、第２実施形態と同様に、修理センター３０が図１２に示す顧客データベース１３３を備え、個人情報に対応する連絡先の特定は、修理センター３０で行われることになる。
【産業上の利用可能性】
【０２１８】
本発明にかかる修理依頼システム、遠隔操作装置、修理管理装置、機器、修理依頼方法及び修理依頼プログラムは、迅速に修理に対応することができるという効果を有し、修理依頼システム、遠隔操作装置、修理管理装置、機器、修理依頼方法及び修理依頼プログラム等として有用である。
【図面の簡単な説明】
【０２１９】
【図１】本発明の第１実施形態による修理依頼システムの概念図。
【図２】本発明の第１実施形態による修理依頼システムの構成図。
【図３】本発明の第１実施形態による冷媒回路の構成図。
【図４】本発明の第１実施形態による顧客データベースの構成図。
【図５】本発明の第１実施形態による故障データベースの構成図。
【図６】修理依頼システムが空調機の故障に対応する処理の流れを示すフローチャート。
【図７】修理依頼システムが空調機の故障に対応する処理の流れを示すフローチャート。
【図８】空調機の故障３０分前からの運転状態の履歴を示すグラフ。
【図９】報知部の動作を示す概念図。
【図１０】報知部の動作を示す概念図。
【図１１】本発明の第２実施形態による修理依頼システムの概念図。
【図１２】本発明の第２実施形態による修理依頼システムの構成図。
【図１３】本発明の第２実施形態による顧客データベースの構成図。
【図１４】本発明の第２実施形態による故障データベースの構成図。
【図１５】修理依頼システムが空調機の故障に対応する処理の流れを示すフローチャート。
【図１６】修理依頼システムが空調機の故障に対応する処理の流れを示すフローチャート。
【図１７】本発明の第３実施形態による修理依頼システムの概念図。
【図１８】修理依頼システムが空調機の故障に対応する処理の流れを示すフローチャート。
【図１９】修理依頼システムが空調機の故障に対応する処理の流れを示すフローチャート。
【図２０】本発明の第４実施形態による修理依頼システムの概念図。
【符号の説明】
【０２２０】
１，１００，２００，３００  修理依頼システム
１０  空調機
２０，２２０  携帯電話リモコン
３０  修理センター
６０  電話回線
７０  無線回線
９０  回線管理センター
２６０  インターネット回線
【図１】
2005184064.tif 000003
【図２】
2005184064.tif 000004
【図３】
2005184064.tif 000005
【図４】
2005184064.tif 000006
【図５】
2005184064.tif 000007
【図６】
2005184064.tif 000008
【図７】
2005184064.tif 000009
【図８】
2005184064.tif 000010
【図９】
2005184064.tif 000011
【図１０】
2005184064.tif 000012
【図１１】
2005184064.tif 000013
【図１２】
2005184064.tif 000014
【図１３】
2005184064.tif 000015
【図１４】
2005184064.tif 000016
【図１５】
2005184064.tif 000017
【図１６】
2005184064.tif 000018
【図１７】
2005184064.tif 000019
【図１８】
2005184064.tif 000020
【図１９】
2005184064.tif 000021
【図２０】
2005184064.tif 000022